(57)【特許請求の範囲】
【請求項１】
画像表示媒体に画像情報に応じた向きの電界を印加して画像記録するための画像記録装置であり、
該画像表示媒体は、
電界の印加により光学的特性を変化させうる表示層と、
色の異なる透光性の複数のフィルタ膜を含み、該表示層に積層されたカラーフィルタとを有しており、
該表示層は一対の基板間に挟持され、複数の現像粒子を含んでおり、
一つの画素が複数のサブ画素により構成され、該各サブ画素は前記カラーフィルタのそれぞれ異なる色のフィルタ膜に重なる、前記表示層における領域として設定されており、  画像情報に応じた向きの電界が該表示層に印加されて前記現像粒子が駆動されて各サブ画素領域の光学的特性が画像情報に応じたものに設定されることでカラー画像表示を行える画像表示媒体であり、
該画像表示媒体に画像記録するにあたって該画像表示媒体のフィルタ膜が重ねられたサブ画素のそれぞれに画像情報に応じた向きの電界を印加するために画像記録装置と該フィルタ膜との位置合わせを行うための位置合わせ機構を有していることを特徴とする画像記録装置。
【請求項２】
前記画像表示媒体の表示層の光学的特性を変化させることができる記録ヘッドを該画像表示媒体に対して相対的に移動させながら、該画像表示媒体に画像記録することができ、  前記位置合わせ機構は、該記録ヘッドを該画像表示媒体に対して相対的に移動させながら該画像表示媒体に画像記録するとき、該画像表示媒体のカラーフィルタのフィルタ膜の位置を検出して画像記録装置による画像記録位置の位置合わせを行う請求項１記載の画像記録装置。
【請求項３】
前記位置合わせ機構は、画像記録装置と前記画像表示媒体のカラーフィルタのフィルタ膜との位置合わせを機械的に行うための位置合わせ機構である請求項１記載の画像記録装置。
【請求項４】
前記位置合わせ機構は、画像記録装置と前記画像表示媒体のカラーフィルタのフィルタ膜の位置合わせを電気的に行う位置合わせ装置である請求項１記載の画像記録装置。
【発明の詳細な説明】
【０００１】
【発明の属する技術分野】
本発明は、現像粒子を含む表示層により画像表示を行う画像表示媒体、特にカラー表示を行うことができる画像表示媒体に関する。また、本発明は画像表示媒体（特にカラー画像表示を行うことができる画像表示媒体）に画像記録するための画像記録装置に関する。
【０００２】
【従来の技術】
近年、画像を記録し、記録された画像を表示するための紙に代わる画像表示媒体（画像記録媒体）として、電子ペーパー或いはデジタルペーパーと呼ばれる書き換え可能な画像表示媒体が提案されている。
【０００３】
このような媒体としては様々なタイプのものが提案されているが、一般的には、光反射率、光透過率、色、光学的反射濃度等の光学的特性を変化させうる表示層を媒体は有している。表示層の各画素に対応する領域の光学的特性をその画素の画像情報（画像データ）に応じて変化させることで、媒体には画像記録（画像形成）がなされ、媒体は記録された画像を表示する。
【０００４】
このような表示層を有する媒体の代表的なものとして、ツイストボール型のもの、電気泳動型のもの、乾式現像剤内包型のものを挙げることができる。これらツイストボール型、電気泳動型、乾式現像剤内包型の媒体の表示層は、いずれも画像表示に利用する粒子（現像粒子という）を複数含んでいる。
【０００５】
このような複数の現像粒子を含む表示層を有する媒体においては、表示層に平行な方向における現像粒子の偏りを抑制するなどのために、表示層を複数に仕切る隔壁が設けられることもある。隔壁は、通常、表示層を挟持する一対の基板の間に設けられる。
【０００６】
【発明が解決しようとする課題】
【０００８】
本発明は、カラー表示が可能な画像表示媒体に位置ずれなく画像記録して、該媒体に所望の色状態のカラー画像を表示させることができる画像記録装置を提供することを課題とする。
【０００９】
【課題を解決するための手段】
§１．画像表示媒体
本発明に係る画像記録装置により画像記録することができる第１〜第５の五つのタイプの画像表示媒体について説明する。
まず、いずれのタイプの媒体にも共通する事項を述べる。その後、各タイプの媒体の特徴的な事項について述べる。
【００１０】
§１．１．
第１〜第５いずれのタイプの媒体も、基本的には、
観察側に配置される透明な第１の基板と、
該第１基板よりも観察側から遠い側に配置される第２の基板と、
該第１基板と第２基板の間に形成され、複数の現像粒子を含む表示層と、
該第１基板に設けられた、色の異なる透光性の複数のフィルタ膜を含むカラーフィルタとを備えている。
【００１１】
この媒体は、反射型の表示及び透過型の表示のいずれにも利用できる。
媒体による表示画像は第１基板側から観察する。つまり、第１基板は観察側に配置される基板（表示画像を観察する観察者に近い側に配置される基板）である。第２基板は観察側と反対側に配置される基板（表示画像を観察する観察者から第１基板よりも遠い側に配置される基板）である。以降の説明では、観察側に近い側を表側（フロント側）、観察側から遠い側を裏側（リア側、バック側）ということがある。
【００１２】
観察側（フロント側）に配置される第１基板は透明であり、透光性を有している。第１基板は代表的には無色透明とすればよい。反射型の表示を行うときには、第２基板は不透明にしてもよく、透明にしてもよい。透過型の表示を行うときには第２基板は透明（代表的には無色透明）にすればよい。
【００１３】
第１及び（又は）第２基板は、例えば、樹脂基板（例えば樹脂フィルム基板）、ガラス基板等とすればよい。第１及び第２基板として樹脂基板を採用すれば、ガラス基板を採用するときよりも、媒体の破損を抑制することができ、媒体の軽量化や薄型化も図れる。第１及び第２基板として樹脂フィルム基板を採用すれば、媒体に可撓性を持たせることもできる。
【００１４】
表示層は、第１基板と第２基板の間に形成されている。少なくとも表示層を挟持している領域においては、第１基板と第２基板は所定間隔をあけて配置されている。第１基板と第２基板は、表示層が形成されている領域の周縁部において熱圧着等により接着してもよい。
【００１５】
表示層は画像表示を行うためのものであり、画像表示に利用される粒子（現像粒子という）を複数含んでいる。表示層は一種類だけの現像粒子を含むものとしてもよく、光学的特性や電気的特性等の異なる複数種類の現像粒子を含むものとしてもよい。後に表示層のいくつかの例を示す。
【００１６】
カラーフィルタは、観察側に配置される第１基板に設けられている。カラーフィルタは、色の異なる複数の透光性のフィルタ膜を含んでいる。つまり、カラーフィルタは、第１の色の透光性の第１フィルタ膜（第１の色に着色された第１透明膜）と、第１の色と異なる第２の色の透光性の第２フィルタ膜（第２の色に着色された第２透明膜）を少なくとも含んでいる。カラーフィルタは、第３フィルタ膜、すなわち、第１及び第２の色のいずれとも異なる第３の色の透光性を有する膜、或いはさらに色の異なる第４、第５・・・のフィルタ膜を含むものとしてもよい。各フィルタ膜は、代表的には所定の配列パターンで周期的に配列すればよい。
【００１７】
代表的には、カラーフィルタはＲＧＢカラーフィルタ、つまり、透光性を有する赤色（Ｒ）フィルタ膜、透光性を有する緑色（Ｇ）フィルタ膜及び透光性を有する青色（Ｂ）フィルタ膜の三色のフィルタ膜を含むものとすればよい。これら赤、緑及び青色フィルタ膜は代表的には所定の配列パターンで周期的に配列すればよい。例えば、赤、緑及び青色フィルタ膜は、ストライプ配列、モザイク配列又はデルタ配列すればよい。
【００１８】
カラーフィルタにより、カラーフィルタを透過する光をフィルタリングして、その光が透過するフィルタ膜の色に着色することができる。これにより、カラー表示を行うことができる。
【００１９】
表示層は、例えば、従来のツイストボール型の媒体において採用されているものとすればよい。ツイストボール型の媒体の表示層は、代表的には、色及び電気的特性が互いに異なる二つの表面領域（第１表面領域と第２表面領域という）を有する現像粒子を複数含んでいる。第１及び第２表面領域の色は、例えばそれぞれ白色及び黒色とすればよい。第１表面領域と第２表面領域は、例えばζ電位(zeta potential)、帯電極性等の電気的特性が異なっている。代表的には、これら現像粒子は基板間に配置される透明な支持体の内部に分散されている。いずれの現像粒子も液体（例えば誘電性液体）に囲まれた状態で支持体に支持されており、支持体に対して回転可能である。このような表示層に電界を印加すると、その電界の向きに応じて現像粒子の第１又は第２表面領域を観察側の第１基板の方に向かせることができる。電界を印加すると、第１表面領域と第２表面領域の電気的特性の違いに起因して現像粒子は回転し、第１又は第２表面領域を第１基板の方へ向かせることができる。ツイストボール型の表示層は特に反射型の表示を行うのに適している。
【００２０】
表示層は、従来の電気泳動型の媒体（電気泳動現象を利用して画像記録が行われる媒体）において採用されているものとしてもよい。電気泳動型の媒体の表示層は、代表的には、電気泳動能を有する現像粒子を複数含んでいる。これら現像粒子は、基板間に配置された分散媒中に分散されている。分散媒は例えば液体とすればよい。分散媒は、常温では固体状態を示す熱溶融性のものとしてもよい。現像粒子が分散された分散媒は透明なマイクロカプセル内に内包してもよい。このようなマイクロカプセルを複数基板間に配置して、表示層を形成してもよい。現像粒子と分散媒は互いに光学的特性が異なるものとすればよい。表示層に電界を印加すると、分散媒中を現像粒子を電気泳動させて、その電界の向きに応じて現像粒子を第１又は第２基板側へ移動させることができ、現像粒子と分散媒の光学的特性の違いを利用して画像表示を行うことができる。例えば現像粒子として不透明な黒色のものを採用し、分散媒として不透明な白色のものを採用すれば、反射型の表示を行うことができる。この場合、第１基板側に黒色現像粒子が集まった領域においては黒色の表示が行われる。第２基板側に黒色現像粒子が集まった領域（つまり、第１基板側に主として白色分散媒が存在する領域）においては、その領域に重なるカラーフィルタのフィルタ膜の色の表示が行われる。
【００２１】
表示層は、従来の乾式現像剤内包型の媒体において採用されているものとしてもよい。乾式現像剤内包型の媒体の表示層は、代表的には、光学的特性及び電気的特性が異なる第１及び第２の二種類の現像粒子を含んでいる。第１及び第２の現像粒子を含む乾式現像剤は、他の１又は２以上の種類の現像粒子を含んでいてもよい。乾式現像剤は、基板間に形成された密閉された空間（閉じた空間）の内部に収容されている。乾式現像剤を構成する第１現像粒子と第２現像粒子は、光学的反射濃度、色、光反射率、光透過率等の光学的特性が異なっている。第１現像粒子と第２現像粒子は帯電極性等の電気的特性も異なっている。第１及び第２現像粒子は代表的には摩擦帯電性を有するものとすればよい。第１又は（及び）第２現像粒子は磁性を有するものとしてもよい。表示層に電界を印加すると、その電界の向きに応じて第１又は第２現像粒子を第１基板側に移動させることができ、第１現像粒子と第２現像粒子の光学的特性の違いを利用して画像表示を行うことができる。例えば第１及び第２現像粒子としてそれぞれ不透明な黒色及び不透明な白色のものを採用すれば、反射型の表示を行うことができる。この場合、第１基板側に黒色第１現像粒子が集まった領域においては黒色の表示が行われる。第１基板側に白色第２現像粒子が集まった領域においては、その領域に重なるカラーフィルタのフィルタ膜の色の表示が行われる。
【００２２】
媒体には、表示層を複数に仕切る少なくとも一つの隔壁を第１基板と第２基板の間にさらに設けてもよい。基板間に形成された隔壁により、第１基板と第２基板の間隔を一定に保つことができる。表示層として電気泳動型のものを採用する場合には、隔壁によって電気泳動能を有する現像粒子の基板面に平行な方向における偏りを抑制することができる。同様に、表示層として乾式現像剤内包型のものを採用する場合には、隔壁によって乾式現像剤の基板面に平行な方向における偏りを抑制できる。隔壁は第１又は第２基板と一体的に形成されたものとしてもよい。
【００２３】
媒体の第１又は（及び）第２基板上には、表示層に電界を印加するなどのために少なくとも一つの電極を設けてもよい。電極は必要に応じて設ければよい。観察側の第１基板上に設ける電極は透明（代表的には無色透明）にすればよい。第２基板上に設ける電極は、透過型の表示を行うときには透明（代表的には無色透明）にすればよく、反射型の表示を行うときには透明であっても不透明であってもよい。
以下、第１〜第５の各タイプの画像表示媒体の特徴的な点について述べる。
【００２４】
§１．２．１．第１タイプの画像表示媒体
第１タイプの画像表示媒体は、
観察側に配置される透明な第１の基板と、
該第１基板よりも観察側から遠い側に配置される第２の基板と、
該第１基板と第２基板の間に形成され、複数の現像粒子を含む表示層と、
該第１基板と第２基板の間に形成され、該表示層を複数に仕切る隔壁と、
該第１基板に設けられた、色の異なる透光性の複数のフィルタ膜を含むカラーフィルタとを備えており、
該隔壁の幅が該カラーフィルタのいずれのフィルタ膜の幅よりも小さいことを特徴とする画像表示媒体である。
【００２５】
第１タイプの媒体においては、隔壁の幅がカラーフィルタのいずれのフィルタ膜の幅よりも小さいので、表示領域に隔壁が存在しても隔壁は目立たない。それだけ表示画像を良好に観察することができる。
【００２６】
カラーフィルタは例えば既述のＲＧＢカラーフィルタ（透光性の赤色フィルタ膜、透光性の緑色フィルタ膜及び透光性の青色フィルタ膜を含むカラーフィルタ）とすればよい。この場合、隔壁の幅を代表的には赤、緑及び青色フィルタ膜のいずれの幅よりも小さくすればよい。
【００２７】
第１タイプの媒体は、ツイストボール型、電気泳動型及び現像粒子内包型のいずれにも適用することができる。また、第１タイプの媒体は、反射型及び透過型のいずれの表示を行うときにも利用することができる。
【００２８】
§１．２．２．第２タイプの画像表示媒体
第２タイプの画像表示媒体は、
観察側に配置される透明な第１の基板と、
該第１基板よりも観察側から遠い側に配置される第２の基板と、
該第１基板と第２基板の間に形成され、複数の現像粒子を含む表示層と、
該第１基板と第２基板の間に形成され、該表示層を複数に仕切る隔壁と、
該第１基板に設けられた、色の異なる透光性の複数のフィルタ膜を含むカラーフィルタとを備えており、
該カラーフィルタのフィルタ膜はいずれも該隔壁と重なり合っていないことを特徴とする画像表示媒体である。
【００２９】
第２タイプの媒体においては、いずれのフィルタ膜も隔壁と重なり合っていないため、表示画像中において隔壁を目立たなくすることができる。それだけ表示画像を良好に観察することができる。
【００３０】
カラーフィルタは例えば既述のＲＧＢカラーフィルタ（透光性の赤色フィルタ膜、透光性の緑色フィルタ膜及び透光性の青色フィルタ膜を含むカラーフィルタ）とすればよい。この場合、赤、緑及び青色フィルタ膜が隔壁に重なり合わないようにすればよい。例えば、同じ画素に対応する赤色、緑色及び青色フィルタ膜を隣合う隔壁の間に配置すればよい。赤、緑及び青色フィルタ膜をストライプ配列し、隔壁を基板間にストライプ状に形成して、同じ画素に対応する赤、緑及び青色フィルタ膜を隣合う隔壁の間に配列してもよい。
【００３１】
第２タイプの媒体は、ツイストボール型、電気泳動型及び現像粒子内包型のいずれにも適用することができる。また、第２タイプの媒体は、反射型及び透過型のいずれの表示を行うときにも利用することができる。
【００３２】
§１．２．３．第３タイプの画像表示媒体
第３タイプの画像表示媒体は、
観察側に配置される透明な第１の基板と、
該第１基板よりも観察側から遠い側に配置される第２の基板と、
該第１基板と第２基板の間に形成され、複数の現像粒子を含む表示層と、
該第１基板に設けられた、色の異なる透光性の複数のフィルタ膜を含むカラーフィルタとを備えており、
該第１基板自身が該カラーフィルタであることを特徴とする画像表示媒体である。
【００３３】
第３タイプの媒体においては、観察側の第１基板自身がカラーフィルタであるので、媒体構造を簡素化することができる。
【００３４】
第３タイプの媒体は、ツイストボール型、電気泳動型及び現像粒子内包型のいずれにも適用することができる。また、第３タイプの媒体は、反射型及び透過型のいずれの表示を行うときにも利用することができる。
【００３５】
§１．２．４．第４タイプの画像表示媒体
第４タイプの画像表示媒体は、
観察側に配置される透明な第１の基板と、
該第１基板よりも観察側から遠い側に配置される第２の基板と、
該第１基板と第２基板の間に形成され、複数の現像粒子を含む表示層と、
該第１基板に設けられた、色の異なる透光性の複数のフィルタ膜を含むカラーフィルタとを備えており、
該表示層は、光反射率の高い現像粒子を含んでいる画像表示媒体である。
【００３６】
第４タイプの媒体は特に反射型の表示を行うのに適している。第４タイプの媒体においては、表示層が光反射率の高い現像粒子を含んでいるため、この光反射率の高い現像粒子により光を反射させる領域においては、それだけ明るい表示を行うことができる。媒体にカラーフィルタを設けると、特に反射型の表示を行う媒体においてはカラーフィルタを二回透過した光によって表示が行われるため表示画像が暗くなりやすいが、現像粒子の光反射率を高めることで明るい表示を行うことができる。
【００３７】
第４タイプの媒体は、ツイストボール型、電気泳動型及び現像粒子内包型のいずれにも適用することができる。
【００３８】
光反射率の高い現像粒子は、例えば、現像粒子の光反射率を高めるための金属蒸着層を有するものとすればよい。金属蒸着層は、例えば、アルミニウム（Ａｌ）、白金（Ｐｔ）、ニッケル（Ｎｉ）等からなるものとすればよい。金属蒸着層は例えば樹脂からなる基材粒子の表面にＡｌ、Ｐｔ、Ｎｉ等の金属を蒸着することで形成すればよい。金属蒸着層の上にはさらに別の透明な層を設ける。例えば現像粒子に摩擦帯電性を持たせるなどのために、金属蒸着層を透明な樹脂でコーティングしてもよい。
【００３９】
光反射率の高い現像粒子は、現像粒子の光反射率を高めるための真珠光沢顔料を含むものとしてもよい。例えば、真珠光沢顔料が分散されたバインダ樹脂からなる粒子をこの現像粒子として採用すればよい。或いは、樹脂からなる基体粒子に真珠光沢顔料が分散された樹脂をコーティングしたものを現像粒子としてもよい。真珠光沢顔料を含む現像粒子においても、最表面に透明樹脂コーティング層を設けてもよい。
【００４０】
§１．２．５．第５タイプの画像表示媒体
第５タイプの画像表示媒体は、
観察側に配置される透明な第１の基板と、
該第１基板よりも観察側から遠い側に配置される透明な第２の基板と、
該第１基板と第２基板の間に形成され、複数の現像粒子を含む表示層と、
該第１基板に設けられた、色の異なる透光性の複数のフィルタ膜を含むカラーフィルタとを備えており、
該表示層は遮光性の現像粒子を含んでおり、該表示層の第２基板側から第１基板側へ透過しようとする光を該遮光性現像粒子の該表示層内での位置に応じて選択的に遮って、透過型の表示が行われることを特徴とする画像表示媒体である。
【００４１】
第５タイプの媒体は、透過型の表示を行うものである。第５タイプの媒体は、電気泳動型及び現像剤内包型の媒体に適用することができる。
【００４２】
第５タイプの媒体においては、第１及び第２基板のいずれも透明である。媒体の表示層は、遮光性の現像粒子を含んでいる。表示層の第２基板側から第１基板側へ透過しようとする光を遮光性現像粒子の表示層内での位置に応じて選択的に遮って、透過型の表示を行うことができる。
【００４３】
表示層として例えば電気泳動型のものを採用する場合には、表示層は例えば複数の遮光性現像粒子（例えば不透明な黒色現像粒子）と、透明（代表的には無色透明）な分散媒を含むものとすればよい。この場合、表示層の各画素に対応する領域にその画素の画像情報に応じた向きの電界を印加し、遮光性現像粒子を第１又は第２基板側に集めると、次のように透過型の表示を行うことができる。観察側の第１基板側に遮光性現像粒子が集まった領域においては、第２基板側から表示層内に入射した光は、遮光性現像粒子に遮られて表示層の第１基板側から観察者に向けて出射しない。したがって、この領域では遮光性現像粒子の色（例えば黒色）の表示が行われる。一方、第２基板側に遮光性現像粒子が集まった領域、つまり、表示層の第１基板側に主として透明分散媒が存在する領域においては、第２基板側から表示層内に入射した光は表示層の第１基板側から出射し、第１基板に設けられたカラーフィルタを透過して、観察者の方へ向かう。したがって、この領域においては透過したカラーフィルタのフィルタ膜の色の表示が行われる。これらにより透過型のカラー表示を行うことができる。
【００４４】
表示層として乾式現像剤内包型のものを採用する場合には、表示層（表示層中の乾式現像剤）は、例えば遮光性現像粒子（例えば不透明な黒色現像粒子）と、透明（代表的には無色透明）な現像粒子を含むものとすればよい。表示層の各画素に対応する領域にその画素の画像情報に応じた向きの電界を印加し、遮光性現像粒子と透光性現像粒子のうちの一方を第１基板側に、他方を第２基板側に集めると、次のように透過型の表示を行うことができる。観察側の第１基板側に遮光性現像粒子が集まった領域においては、第２基板側から表示層内に入射した光は、遮光性現像粒子に遮られて表示層の第１基板側から観察者に向けて出射しない。したがって、この領域では遮光性現像粒子の色（例えば黒色）の表示が行われる。一方、第２基板側に遮光性現像粒子が集まった領域、つまり、第１基板側に透光性現像粒子が集まった領域においては、第２基板側から表示層内に入射した光は透光性現像粒子を透過して表示層から出射し、さらに第１基板に設けられたカラーフィルタを透過して、観察者の方へ向かう。したがって、この領域においては透過したカラーフィルタのフィルタ膜の色の表示が行われる。これらにより透過型のカラー表示を行うことができる。
【００４５】
第５タイプの媒体においては、第１基板と第２基板の間に表示層を複数に仕切る隔壁をさらに設け、この隔壁を透明（代表的には無色透明）にすることが好ましい。さらに言うと、表示領域中に隔壁が配置されるように基板間に透明隔壁を設けることが好ましい。第５タイプの媒体において仮に隔壁がないとすると、例えばＲＧＢカラーフィルタにより白色表示を行うために表示領域の全領域或いは広い領域において表示層の第２基板側に遮光性現像粒子を集めると、第２基板側から表示層内に光を入射させるのが難しくなり、表示層の第１基板側から出射する光がほとんどなくなくなり、白色表示を行うことが難しくなる。透明隔壁を設けることで、透明隔壁を介して表示層内に光を入射させることができ、表示領域の全領域或いは広い領域において白色表示も行うことができる。
【００４６】
透明隔壁の第１基板に臨む面に光反射層を形成してもよい。このようにすれば、透明隔壁の第２基板に臨む底面等から表示層内部に入射した光は、隔壁の第１基板に臨む頂面から出射せず、それだけコントラストの高い表示を行うことができる。また、隔壁の光反射層により反射された光の一部は、表示層の第１基板側から光を出射できる状態の領域から出射するので、それだけ明るい表示を行うことができる。光反射層は例えば白色塗膜等からなる白色層とすればよい。
【００４７】
このような光反射層を隔壁の頂面に設ける場合、隔壁の第１基板に臨む頂面上の光反射層よりも第１基板側にさらに黒色の光吸収層を設けてもよい。このようにすれば、隔壁の頂面部分で反射される光の量を低減することができ、それだけコントラストの高い表示を行うことができる。この黒色光吸収層は、例えば、隔壁の光反射層の上に形成すればよい。黒色光吸収層は、カラーフィルタ内の隔壁に対応する領域に形成してもよい。
【００４８】
以上述べた第１〜第５タイプの画像表示媒体の各特徴的構成は、特に支障がない限り、複数を組み合わせてもよい。
【００４９】
§２．画像記録装置（画像形成装置）
本発明は、画像表示媒体に画像記録するための次の第１〜第３の三つのタイプの画像記録装置を提供する。いずれのタイプの画像記録装置も、前記第１〜第５タイプの画像表示媒体への画像記録に用いることができる。
【００５０】
いずれのタイプの画像記録装置（画像形成装置）も、光学的特性を変化させうる表示層と、色の異なる透光性の複数のフィルタ膜を含み、該表示層に積層されたカラーフィルタとを有する画像表示媒体に画像記録するためのものである。
【００５１】
表示層は光反射率、光透過率等の光学的特性を変化させうるものである。表示層は、例えば、既述の現像粒子を含む表示層（例えば既述のツイストボール型、電気泳動型又は現像剤内包型の表示層）である。この表示層は現像粒子を含まないもの、例えば液晶層であってもよい。
【００５２】
カラーフィルタは表示層に積層されている。カラーフィルタは直接的に表示層に積層されていてもよく、他の部材（例えば表示層を挟持するための基板）を介して間接的に表示層に積層されていてもよい。カラーフィルタは例えば既述のＲＧＢカラーフィルタである。
【００５３】
いずれのタイプの画像記録装置も、基本的には、画像記録装置と画像表示媒体のカラーフィルタのフィルタ膜との位置合わせを行うための位置合わせ機構を有している。位置合わせ機構（位置合わせ装置）によって両者の位置ずれを抑制し、正確な色再現が実現でき、媒体に良好なカラー表示を行わせることができる。
【００５４】
§２．１．第１タイプの画像記録装置
第１タイプの画像記録装置は、
光学的特性を変化させうる表示層と、色の異なる透光性の複数のフィルタ膜を含み、該表示層に積層されたカラーフィルタとを有する画像表示媒体に、
該表示層の光学的特性を変化させることができる記録ヘッドを該画像表示媒体に対して相対的に移動させながら、該画像表示媒体に画像記録する画像記録装置であって、
該記録ヘッドを該画像表示媒体に対して相対的に移動させながら該画像表示媒体に画像記録するとき、該画像表示媒体のカラーフィルタのフィルタ膜の位置を検出して、画像記録位置の位置合わせが行われることを特徴とする画像記録装置である。
【００５５】
第１タイプの画像記録装置においては、表示層の光学的特性を変化させることができる記録ヘッド（表示層の光学的特性を変化させるための記録ヘッド）を用いて画像記録が行われる。記録ヘッドは、一度に一つのサブ画素だけに画像記録できるものでも、一度に複数のサブ画素に画像記録できるものでもよい。記録ヘッドは、例えば、一度に一つのライン上のサブ画素全部に画像記録できるもの、一度に複数の各ライン上の１又は２以上のサブ画素に画像記録できるものとすればよい。
【００５６】
記録ヘッドを画像表示媒体に対して相対的に移動させながら、画像記録は行われる。記録ヘッドを画像表示媒体に相対的に移動させることで、記録ヘッドで媒体の画像記録領域（画像表示領域）を走査しながら、画像記録は行われる。画像表示媒体を定位置に配置し記録ヘッドを移動させながら画像記録を行ってもよく、記録ヘッドを定位置に配置し媒体を移動させながら画像記録を行ってもよく、記録ヘッド及び媒体のいずれも移動させながら画像記録を行ってもよい。記録ヘッドにより一度に画像記録できるサブ画素の数が多いほど、全画像を記録するのに要する時間を短くすることができる。
【００５７】
なお、サブ画素とは一つの画素を構成する画素要素であり、複数のサブ画素により一つの画素が構成される。一つの画素を構成する各サブ画素は、カラーフィルタのそれぞれ異なる色のフィルタ膜に重なる領域に設定される。カラーフィルタとして例えば既述のＲＧＢカラーフィルタを採用する場合には、代表的には、一つの画素は赤色フィルタ膜に重なるサブ画素、緑色フィルタ膜に重なるサブ画素及び青色フィルタ膜に重なるサブ画素により構成される。一つのフィルタ膜は一つのサブ画素を提供するものであっても、複数のサブ画素を提供するものであってもよい。
【００５８】
カラーフィルタを有する画像表示媒体に画像記録を行う場合には、適切な位置に画像記録を行わないと、つまり、各サブ画素にそのサブ画素の画像情報に応じて画像記録を行わないと（表示層の各サブ画素に対応する領域に例えばそのサブ画素の画像情報に応じた向きの電界を印加しないと）、換言すれば、画像記録位置がずれて画像記録するサブ画素にそのサブ画素とは異なるサブ画素の画像情報に応じて画像記録が行われると、記録された画像（表示画像）の色あい、色調等の色状態が所望のものと全くことなるものとなってしまうことがある。
【００５９】
第１タイプの画像記録装置においては、上記のように記録ヘッドを媒体に対して相対的に移動させながら画像記録を行うとき、媒体のカラーフィルタのフィルタ膜の位置を検出して（換言すれば記録ヘッドとカラーフィルタのフィルタ膜との位置関係を検出して）、画像記録位置の位置合わせが行われる。さらに言うと、媒体のカラーフィルタのフィルタ膜の位置を検出することで、そのフィルタ膜に重なるサブ画素の位置が検出される。これにより、適切な位置に記録ヘッドで画像記録を行うことができる。したがって、第１タイプの画像記録装置は所望の色状態のカラー画像を形成することができる。
【００６０】
カラーフィルタのフィルタ膜の位置は、フィルタ膜の位置を直接検出してもよく、フィルタ膜と所定の位置関係に配置される媒体部材の位置を検出して、その媒体部材の位置に基づきフィルタ膜の位置を間接的に検出してもよい。フィルタ膜の位置の検出は、さらに具体的に言うと、例えば次のように行えばよい。
【００６１】
例えば、記録ヘッドと一定の位置関係にあり、画像表示媒体のカラーフィルタに臨ませる光センサ（例えばカラー光センサ）を用いて、直接的にフィルタ膜の位置を検出すればよい。すなわち、記録ヘッドを媒体に対して相対的に移動させながら媒体に画像記録するとき、光センサによって媒体のカラーフィルタのフィルタ膜の位置を（直接的に）検出してもよい。光センサは例えば記録ヘッド上に搭載すればよい。この場合、画像記録を行う際には、カラーフィルタ中の少なくとも一つのフィルタ膜の位置を光センサにより検出すればよい。勿論、全てのフィルタ膜の位置を検出してもよく、全てではない複数のフィルタ膜（例えば所定の色のフィルタ膜）の位置を検出してもよい。二つのフィルタ膜が互いに所定の位置関係にある場合には、一方のフィルタ膜の位置を検出することで、他方のフィルタ膜の位置も間接的に検出することができる。したがって、カラーフィルタ膜中の少なくとも一つのフィルタ膜の位置を光センサにより検出すれば、全てのフィルタ膜の位置を検出することができる。
【００６２】
媒体が表示層を仕切る透明隔壁を有するものである場合（例えば、媒体が表示層を挟持するいずれも透明な第１及び第２基板と、これら基板間に形成され、表示層を仕切る透明隔壁を有するものである場合）であって、カラーフィルタのフィルタ膜が透明隔壁に対して所定の位置関係に配置されている場合には、次のようにカラーフィルタのフィルタ膜の位置を間接的に検出してもよい。すなわち、記録ヘッドと一定の位置関係にあり、媒体の一方の表面に臨ませる受光素子と、媒体の他方の表面に臨ませる発光素子とを用いて次のように検出すればよい。記録ヘッドを媒体に対して相対的に移動させながら媒体に画像記録するとき、発光素子から射出され、媒体の表示層を仕切るために設けられた透明隔壁を透過した光を受光素子により検出して、透明隔壁の位置を検出する。そして、透明隔壁の位置に基づき、透明隔壁に対して所定の位置関係に配置されるカラーフィルタのフィルタ膜の位置を検出すればよい。記録ヘッドに対して一定の位置関係に配置する受光素子は、例えば記録ヘッド上に搭載すればよい。発光素子は記録ヘッドと一定の位置関係に配置してもよく、そうでなくてもよい。媒体が相対的移動方向に並んだ複数の隔壁を有している場合には、画像記録を行う際には少なくとも一つの隔壁の位置を検出すればよい。
【００６３】
§２．２．第２タイプの画像記録装置
第２タイプの画像記録装置は、
光学的特性を変化させうる表示層と、色の異なる透光性の複数のフィルタ膜を含み、該表示層に積層されたカラーフィルタとを有する画像表示媒体に、画像記録するための画像記録装置であって、
該画像記録装置と該画像表示媒体のカラーフィルタのフィルタ膜の位置合わせを機械的に行うための位置合わせ機構を有していることを特徴とする画像記録装置である。
【００６４】
第２タイプの画像記録装置によると、媒体と装置の位置合わせを機械的に行うための位置合わせ機構が装置に設けられているため、装置に対して媒体のカラーフィルタのフィルタ膜を位置ずれなくセットすることができる。これにより、第２タイプの画像記録装置は位置ずれを抑制して媒体に画像記録を行うことができる。
【００６５】
媒体に例えば凸部又は凹部等の第１係合部が設けられており、この第１係合部に対してカラーフィルタのフィルタ膜が所定の位置関係に配置されている場合には、例えば次のように媒体のカラーフィルタのフィルタ膜と画像記録装置の位置合わせを行えばよい。すなわち、例えば媒体に設けられる第１係合部に係合可能な第２係合部を画像記録装置に設けておき、媒体の第１係合部と装置の第２係合部を係合させることで、第１係合部に対して所定の位置関係に配置されるカラーフィルタのフィルタ膜と画像記録装置との位置合わせを行えばよい。装置の第２係合部は媒体の第１係合部に応じた形状のものとすればよい。第１係合部が例えば凹部（又は凸部）である場合には、第２係合部はその媒体凹部（又は媒体凸部）に係合可能な凸部（又は凹部）とすればよい。
【００６６】
さらに具体的に言うと、第２タイプの画像記録装置は例えば次の（ａ）又は（ｂ）において述べるようなものとすればよい。
【００６７】
（ａ）  例えば、画像記録装置は画像表示媒体の一方の面に重ねられ、各サブ画素にそれぞれ対応する複数のサブ画素電極が形成されている画素電極基板を備えるものとする。画素電極基板には、画像表示媒体に設けられる第１係合部に係合可能で、サブ画素電極と所定の位置関係にある第２係合部を設けておく。
【００６８】
画像表示媒体の第１係合部と画素電極基板の第２係合部を係合させることで、画素電極基板の（第２係合部に対して所定の位置関係にある）サブ画素電極と、第１係合部に対して所定の位置関係に配置されるカラーフィルタのフィルタ膜との位置合わせを行うことができる。
【００６９】
（ｂ）  画像記録装置は、媒体の表示層の光学的特性を変化させることができる記録ヘッド（媒体の表示層の光学的特性を変化させるための記録ヘッド）を媒体に対して相対的に移動させながら、媒体に画像記録を行うものとしてもよい。
【００７０】
この場合、記録ヘッドには例えば媒体に設けられる直線状の溝（第１係合部）に嵌合可能な凸部（第２係合部）を設けておき、記録ヘッドの凸部を媒体の溝に嵌合させることで、溝に対して所定の位置関係の配置されるカラーフィルタのフィルタ膜と記録ヘッドとの位置合わせを行えばよい。媒体の溝で記録ヘッドの凸部を案内しながら、記録ヘッドを該画像表示媒体に対して相対的に移動させてもよい。媒体に複数の溝（例えば二つの平行に延びる溝）を設けておき、記録ヘッドに各溝に嵌合可能な複数の凸部を設けておいてもよい。
【００７１】
或いは、記録ヘッドには媒体に設けられる凸部（第１係合部）を嵌合させることができる直線状の溝（第２係合部）を設けておき、記録ヘッドの溝に媒体の凸部を嵌合させることで、凸部に対して所定の位置関係に配置されるカラーフィルタのフィルタ膜と記録ヘッドとの位置合わせを行ってもよい。記録ヘッドの溝で媒体の凸部を案内しながら、記録ヘッドを媒体に対して相対的に移動させてもよい。媒体に複数の凸部（例えば二つの凸部）を設けておき、記録ヘッドにこれら凸部を嵌合させることができる互いに平行な直線状の溝を複数設けておいてもよい。
【００７２】
§２．３．第３タイプの画像記録装置
第３タイプの画像記録装置は、
光学的特性を変化させうる表示層と、色の異なる透光性の複数のフィルタ膜を含み、該表示層に積層されたカラーフィルタとを有する画像表示媒体に、画像記録するための画像記録装置であって、
該画像記録装置と該画像表示媒体のカラーフィルタのフィルタ膜の位置合わせを電気的に行うための位置合わせ装置を備えていることを特徴とする画像記録装置である。
【００７３】
第３タイプの画像記録装置においては、位置合わせ装置により画像記録装置と媒体のカラーフィルタのフィルタ膜の位置合わせを行うことで、位置ずれなく画像記録を行うことができる。
【００７４】
媒体に、カラーフィルタのフィルタ膜と所定の位置関係にあるフロート電極が設けられている場合には、位置合わせ装置は例えば次のようなものとすればよい。位置合わせ装置は、例えば、画像表示媒体の表面に設けられるフロート電極が形成されている媒体領域の静電容量と、フロート電極が形成されていない媒体領域の静電容量の違いを検出して、画像表示媒体のフロート電極の位置を検出すればよい。そして、検出されたフロート電極の位置に基づき、フロート電極に対して所定の位置関係に配置されるカラーフィルタのフィルタ膜の位置を検出して、画像記録装置と媒体のカラーフィルタのフィルタ膜の位置合わせを行えばよい。
【００７５】
或いは、フロート電極の大きさに対応する間隔で配置された２つの検出電極を、画像表示媒体のフロート電極形成面に接触させて、検出電極間の導通の有無を検出することによりフロート電極の位置を検出し、同様にして画像記録装置と媒体のフィルタ膜との位置合わせを行うこともできる。
【００７６】
【発明の実施の形態】
§３．
以下、本発明の実施の形態を図面を参照して説明する。なお、以下の説明においては、具体的な数値、材料名等を示すが、本発明に係る画像記録装置で画像記録できる画像表示媒体及び画像記録装置はそれに限定されるものではない。
【００７７】
画像表示媒体の一例の概略平面図及び概略断面図をそれぞれ図１及び図２に示す。図１及び図２の画像表示媒体ＭＤ１は、現像剤内包型の媒体であり、反射型の表示を行うものである。
【００７８】
媒体ＭＤ１は、所定の間隔をあけて配置された一対の基板Ｓ１とＳ２を有しており、これら基板の間には表示層ＤＬ１が挟持されている。媒体ＭＤ１による表示画像は、図２において媒体の上側から、つまり基板Ｓ１側から観察する。
【００７９】
観察側の基板Ｓ１は無色透明であり、本例ではポリエチレンテレフタレート（ＰＥＴ）からなる。観察側から遠い側の基板Ｓ２も本例では無色透明であり、ポリエチレンテレフタレート（ＰＥＴ）からなる。
【００８０】
観察側の基板Ｓ１上にはカラーフィルタＣＦ１が形成されている。カラーフィルタＣＦ１は、複数の透光性赤色フィルタ膜Ｆｒ、複数の透光性緑色フィルタ膜Ｆｇ及び複数の透光性青色フィルタ膜Ｆｂを含んでいる。赤、緑及び青色フィルタ膜Ｆｒ、Ｆｇ、Ｆｂは、図１に示すように、ストライプ配列されている。フィルタ膜Ｆｒ、Ｆｇ及びＦｇは本例では媒体の短辺方向に平行な方向に延びているが、媒体の長辺方向に平行な方向に延ばしてもよい。
【００８１】
表示層ＤＬ１は基板間に形成された隔壁Ｗ１により複数に仕切られている。これにより、基板間には複数のセルＣＬが形成されている。隔壁Ｗ１は本例では硬化性樹脂からなり、基板Ｓ１及びＳ２のいずれにも接着している。各セルＣＬはライン状であり、本例ではカラーフィルタＣＦ１のフィルタ膜と平行な方向に延びている。各セルＣＬは閉じた空間（密閉された空間）を提供しており、各セルＣＬ内には乾式現像剤ＤＶ１が収容されている。
【００８２】
本例では、媒体ＭＤ１の各部のサイズは次のとおりである。基板Ｓ１の厚みは２５μｍ、隔壁Ｗ１の高さは１００μｍ、基板Ｓ２の厚みは２５μｍである。隔壁Ｗ１の幅は３０μｍであり、隣合う隔壁Ｗ１の間の幅は４７０μｍである。各セルＣＬの幅は４７０μｍ、高さは１００μｍ、ピッチは５００μｍである。カラーフィルタＣＦ１の赤、緑及び青色フィルタ膜Ｆｒ、Ｆｇ及びＦｂの幅はいずれも２００μｍである。したがって、隔壁Ｗ１の幅は、図２等に示すように、フィルタ膜Ｆｒ、Ｆｇ、Ｆｂのいずれの幅よりも小さい。
【００８３】
セル内に収容された乾式現像剤ＤＶ１は、白色現像粒子Ｐｗと、黒色現像粒子Ｐｋの二種類の現像粒子からなる。現像粒子Ｐｗ及びＰｋは、いずれも着色剤等が分散されたバインダ樹脂からなる粒子である。
【００８４】
具体的には、白色現像粒子Ｐｗは次のように作製されたものである。まず、バインダ樹脂として熱可塑性ポリエステル樹脂（軟化点１２１°Ｃ、ガラス転移点６５°Ｃ）を１００重量部と、白色顔料として酸化チタンを４０重量部と、負荷電制御剤としてサリチル酸亜鉛錯体を５重量部とをヘンシェルミキサーで十分に混合する。その混合物を２軸押し出し機で混練し、冷却する。その混練物を粗粉砕し、さらにジェット粉砕機で微粉砕する。その粉砕物（粒子）を風力分級し、平均粒径１２μｍの白色微粉末を得る。この白色微粉末に疎水性シリカ微粒子を０．３重量部添加し、ヘンシェルミキサーにより混合して、白色現像粒子Ｐｗを得る。
【００８５】
黒色現像粒子Ｐｋは次のように作製されたものである。まず、バインダ樹脂としてスチレン−ｎブチルメタクリレート系樹脂（軟化点１３２°Ｃ、ガラス転移点６５°Ｃ）を１００重量部と、黒色着色剤としてカーボンブラックを２重量部と、正荷電制御剤としてシリカを１．５重量部と、マグネタイト系磁性粉を５００重量部とをヘンシェルミキサーで十分に混合する。その混合物をベント２軸混練装置で混練し、冷却する。その混練物をフェザーミルで粗粉砕し、さらにジェットミルで微粉砕する。その粉砕物（粒子）を風力分級し、体積平均粒径が２５μｍの黒色現像粒子Ｐｋを得る。黒色現像粒子Ｐｋは磁性粉を含んでいるため、磁性を有している。
【００８６】
このように作製した白色現像粒子Ｐｗを３０ｇと、黒色現像粒子Ｐｋを７０ｇとをポリエチレン製のボトルに入れ、そのボトルをボールミル架台にて回転させ、これら現像粒子の混合攪拌を３０分間行い、乾式現像剤ＤＶ１を得る。攪拌により、白色現像粒子Ｐｗと黒色現像粒子Ｐｋはそれぞれ負及び正極性に摩擦帯電している。セルＣＬ内にはセル体積の約３０％の割合で乾式現像剤ＤＶ１が収容されている。
【００８７】
§４．
画像表示媒体ＭＤ１には次のようにして画像形成することができる。画像形成を行うにあたっては、図３に示すように媒体基板面に垂直又はほぼ垂直な向きの電界Ｅを表示層ＤＬ１のセルＣＬ内の乾式現像剤ＤＶ１に印加する。
【００８８】
本例では、図４に示すサブ画素単位で表示層ＤＬ１には電界が印加される。図４に示すように一つの画素ＰＸは、隣合う三つのサブ画素ＰＸｒ、ＰＸｇ、ＰＸｂからなる。サブ画素ＰＸｒ、ＰＸｇ及びＰＸｂは、それぞれ赤、緑及び青色フィルタ膜Ｆｒ、Ｆｇ、Ｆｂに重なっている。
【００８９】
既述のように乾式現像剤ＤＶ１を構成する白色現像粒子Ｐｗと黒色現像粒子Ｐｋはそれぞれ負及び正極性に帯電しているので、電界を印加するとその電界の向きに応じて現像粒子Ｐｗ及びＰｋのうちの一方の現像粒子は基板Ｓ１の方へ、他方の現像粒子は基板Ｓ２の方へ移動する。
【００９０】
図３中下向きの電界Ｅが印加された領域においては、負帯電の白色現像粒子Ｐｗが黒色現像粒子Ｐｋに対して相対的に、基板Ｓ１の方へ移動する。図３中上向きの電界Ｅが印加された領域においては、正帯電の黒色現像粒子Ｐｋが白色現像粒子Ｐｗに対して相対的に、基板Ｓ１の方へ移動する。
【００９１】
白色現像粒子Ｐｗが観察側の基板Ｓ１の方へ移動した領域においては、カラーフィルタＣＦ１を透過し表示層ＤＬ１に入射した光は、白色現像粒子により反射され、カラーフィルタＣＦ１を再び透過し、観察者の方へ向かう。したがって、基板Ｓ１の方に白色現像粒子Ｐｗが集まったサブ画素ＰＸｒ、ＰＸｇ及びＰＸｂにおいては、それぞれ赤、緑及び青色フィルタ膜Ｆｒ、Ｆｇ及びＦｂによるフィルタリングが行われて、それぞれ赤、緑及び青色成分表示が行われる。
【００９２】
黒色現像粒子Ｐｋが基板Ｓ１の方へ移動した領域においては、カラーフィルタＣＦ１を透過して表示層ＤＬ１に入射した光は黒色現像粒子Ｐｋに吸収される。したがって、基板Ｓ１の方に黒色現像粒子Ｐｋが集まったサブ画素ＰＸｒ、ＰＸｇ及びＰＸｂにおいてはいずれも黒色成分表示が行われる。
【００９３】
各画素ＰＸにおいて表示される色は、その画素を構成するサブ画素ＰＸｒ、ＰＸｇ、ＰＸｂにおいてそれぞれ表示される成分色を加法混色したものとなる。例えば図３の左端の画素ＰＸにおいては赤色表示が行われ、左から２番目の画素ＰＸにおいてはシアン（緑＋青）色の表示が行われる。
【００９４】
これらにより、表示層ＤＬ１の各サブ画素に対応する領域に、そのサブ画素の画像情報（画像データ）に応じた向きの電界を印加することで、媒体ＭＤ１には所望のカラー画像を形成することができる。
【００９５】
セル内の乾式現像剤ＤＶ１への電界印加と同時に、又は（及び）電界印加の前に、乾式現像剤ＤＶ１に振動磁界を印加してもよい。乾式現像剤ＤＶ１は既述のように磁性を有する黒色現像粒子Ｐｋを含んでいるので、振動磁界を現像剤ＤＶ１に印加すると、現像剤ＤＶ１を攪拌するとともに、振動させることができる。この攪拌により摩擦帯電性を有する現像粒子ＰｗとＰｋの帯電量が増加し、電界が印加されたときに現像粒子Ｐｗ及びＰｋに作用する静電力が増加して、現像粒子Ｐｗ及びＰｋは作用する静電力の方向に移動しやすくなる。また、現像剤ＤＶ１（現像粒子Ｐｗ及びＰｋ）を振動させることにより現像剤の流動性が向上し、これによっても現像粒子Ｐｗ及びＰｋは電界が印加されたときに移動しやすくなる。
【００９６】
§５．
媒体ＭＤ１においては、既述のように隔壁Ｗ１の幅がカラーフィルタＣＦ１のフィルタ膜Ｆｒ、Ｆｇ及びＦｂのいずれの幅よりも小さいので、隔壁Ｗ１がフィルタ膜と同じ幅又はフィルタ膜の幅よりも大きい場合に比べて、画像表示を行うときにおいて隔壁Ｗ１を目立たなくすることができる。隔壁Ｗ１が表示画像の視認を妨げになってしまうことを低減することができる。それだけ良好なカラー画像を媒体ＭＤ１は表示することができる。
【００９７】
§６．
画像表示媒体の他の例の概略断面図を図５に示す。図５の媒体ＭＤ２は、カラーフィルタＣＦ１に代えてカラーフィルタＣＦ２が採用されていることを除けば、図２等の媒体ＭＤ１と実質的に同じものである。図２と図５においては、同じ機能の部品には同じ参照符号が付してある。
【００９８】
媒体ＭＤ２の観察側の基板Ｓ１上に設けられたカラーフィルタＣＦ２は、媒体ＭＤ１のカラーフィルタＣＦ１と同様に、赤、緑及び青色フィルタ膜Ｆｒ、Ｆｇ及びＦｂを含んでいる。媒体ＭＤ２においても、媒体ＭＤ１と同様に、隔壁Ｗ１の幅はフィルタ膜Ｆｒ、Ｆｇ及びＦｂのいずれの幅よりも小さい。媒体ＭＤ１のカラーフィルタＣＦ１においては隔壁Ｗ１と一部のフィルタ膜Ｆｒ、Ｆｇ、Ｆｂが重なりあっていたが、媒体ＭＤ２のカラーフィルタＣＦ２のフィルタ膜Ｆｒ、Ｆｇ、Ｆｂは隔壁Ｗ１に重なり合っていない。カラーフィルタＣＦ２においては、同じ画素ＰＸを提供する隣合う三つのフィルタ膜Ｆｒ、Ｆｇ、Ｆｂは、隣合う隔壁Ｗ１の間に配置されている。
【００９９】
媒体ＭＤ２においては、隔壁Ｗ１の幅がフィルタ膜Ｆｒ、Ｆｇ及びＦｂの幅よりも小さく、しかも、隔壁Ｗ１とフィルタ膜Ｆｒ、Ｆｇ及びＦｂが重なり合っていないので、画像表示を行うときにおいて隔壁Ｗ１はさらに目立たなくなる。それだけさらに良好なカラー画像を媒体ＭＤ２は表示することができる。
【０１００】
媒体ＭＤ２を作製するときにおいて、例えば基板Ｓ１上にカラーフィルタＣＦ２を形成した後に隔壁Ｗ１を形成する場合には、例えばカラーフィルタＣＦ２の各フィルタ膜Ｆｒ、Ｆｇ及びＦｂの位置に基づき、隔壁Ｗ１の形成位置を制御することで、上記のようにカラーフィルタＣＦ２のフィルタ膜と隔壁Ｗ１が重ならないようにこれらを配置することができる。なお、既述の図２の媒体ＭＤ１を作製するときにおいては、隔壁Ｗ１の幅がカラーフィルタＣＦ１のフィルタ膜の幅よりも小さくなるようにこれらを形成するだけでよいので、さらに言うと、隔壁Ｗ１とフィルタ膜の位置関係が所定の位置関係となるように厳密に制御する必要はないので、それだけ媒体ＭＤ１は容易に作製することができる。
【０１０１】
§７．
画像表示媒体のさらに他の例の概略断面図を図６に示す。図６の媒体ＭＤ３は、次に述べることを除き、図２の媒体ＭＤ１と実質的に同じものである。同じ機能の部品には同じ参照符号を付してある。
【０１０２】
媒体ＭＤ３においては、観察側の基板Ｓ１がカラーフィルタＣＦ３を兼ねており、基板Ｓ１自身がカラーフィルタＣＦ３である。媒体ＭＤ３のカラーフィルタＣＦ３は、媒体ＭＤ１のカラーフィルタＣＦ１と同様に、赤、緑及び青色フィルタ膜Ｆｒ、Ｆｇ及びＦｂを含んでいる。媒体ＭＤ３においても、隔壁Ｗ１の幅はフィルタ膜Ｆｒ、Ｆｇ及びＦｒの幅よりも小さい。
【０１０３】
媒体ＭＤ３においては、基板Ｓ１自身がカラーフィルタＣＦ３であるので、媒体構造をそれだけ単純化、簡素化することができる。
【０１０４】
§８．
上記述べた媒体ＭＤ１〜ＭＤ３においては、表示層中の入射光を反射するための現像粒子として、白色現像粒子Ｐｗに代えて、図７（Ａ）〜（Ｃ）に示す光反射率の高い現像粒子を採用してもよい。
【０１０５】
図７（Ａ）の現像粒子Ｐｗ１は基体粒子３５１を有しており、この基体粒子３５１の上には金属蒸着膜３５２、無色透明な樹脂膜３５３が形成されている。金属蒸着膜３５２は、基体粒子３５１上に金属（Ａｌ、Ｐｔ、Ｎｉ等）を蒸着したものである。透明樹脂膜３５３は、現像粒子Ｐｗ１に摩擦帯電性をもたせるなどのために金属蒸着膜３５２の上に形成されている。光反射率の高い金属蒸着膜３５２を有しているので、現像粒子Ｐｗ１は入射光を効率よく反射することができる。
【０１０６】
図７（Ｂ）の現像粒子Ｐｗ２は真珠光沢顔料３６２が分散されたバインダ樹脂３６１からなる粒子である。現像粒子Ｐｗ２は、光反射率の高い真珠光沢顔料を含んでいるため、それだけ入射光を効率よく反射することができる。
【０１０７】
図７（Ｃ）の現像粒子Ｐｗ３は基体粒子３７１を有しており、この基体粒子３７１は真珠光沢顔料３７３が分散された樹脂３７２によりコーティングされている。光反射率の高い真珠光沢顔料３７３を含む樹脂３７２からなる層が表層であるため、現像粒子Ｐｗ３は入射光を効率よく反射することができる。
【０１０８】
このように光反射率の高い現像粒子Ｐｗ１、Ｐｗ２又はＰｗ３を採用すれば、それだけ媒体は明るい反射型の表示を行うことができる。
【０１０９】
§９．
画像表示媒体のさらに他の例の概略断面図を図８に示す。図８の媒体ＭＤ４は、次に述べることを除き、図２の媒体ＭＤ１と実質的に同じものである。同じ機能の部品には同じ参照符号を付してある。
【０１１０】
媒体ＭＤ４は透過型の表示を行うためのものである。媒体ＭＤ４においては、基板間には表示層ＤＬ２が配置されている。表示層ＤＬ２は隔壁Ｗ１により複数に仕切られており、複数のセルＣＬが基板間には形成されている。表示層ＤＬ２の各セルＣＬ内には、乾式現像剤ＤＶ２が収容されている。乾式現像剤ＤＶ２は、無色透明な現像粒子ＰＴと、黒色遮光性の現像粒子ＰＳからなる。これら現像粒子ＰＴとＰＳはいずれも摩擦帯電性を有している。本例では、透明現像粒子ＰＴの帯電極性は負であり、遮光性現像粒子ＰＳの帯電極性は正である。隔壁Ｗ１の基板Ｓ１に臨む頂面上には白色光反射膜３１が形成されている。
【０１１１】
媒体ＭＤ４においても、既述の図３等の媒体ＭＤ１と同様に、各サブ画素の現像粒子ＤＶ２に対してそのサブ画素の画像情報に応じた向きの電界を印加し、そのサブ画素の画像情報に応じて観察側の基板Ｓ１の方へ透明現像粒子ＰＴ又は遮光性現像粒子ＰＳを集めることができる。
【０１１２】
媒体ＭＤ４による画像表示は、媒体の裏側（基板Ｓ２側）にバックライト装置３２を配置して、バックライト装置３２からの照明光を表示層ＤＬ２により透過制御することで、さらに詳しく言うと、現像粒子ＰＴ及びＰＳの表示層ＤＬ２内の配置位置に応じて透過制御することにより行われる。バックライト装置３２としては例えば透過型の液晶表示装置で用いられているものが採用でき、例えば、冷陰極管、冷陰極管の裏側に配置される光反射板、冷陰極管の表側に配置される光拡散板を有するものを採用すればよい。
【０１１３】
バックライト装置３２から射出された光は、透明隔壁Ｗ１が形成されている領域又は基板Ｓ２側に透明現像粒子ＰＴが集まった領域から表示層ＤＬ２内に入射する。表示層ＤＬ２内に入射した光は、基板Ｓ１側に透明現像粒子ＰＴが集まった領域から出射し、カラーフィルタＣＦ１を透過して観察者の方へ向かう。表示層ＤＬ２内に入射した光は、基板Ｓ１側に遮光性現像粒子ＰＳが集まった領域からは出射しない。
【０１１４】
これらにより、表示層ＤＬ２の各サブ画素に対応する領域に、そのサブ画素の画像情報に応じた向きの電界を印加することで、所望のカラー画像を媒体ＭＤ４に形成し、媒体ＭＤ４に所望のカラー画像を表示させることができる。
【０１１５】
媒体ＭＤ４においては、隔壁Ｗ１の基板Ｓ１に臨む頂面に光反射膜３１が形成されているため、隔壁Ｗ１の基板Ｓ１側から観察者に向けて光が出射しない。これにより、光反射膜３１が形成されていない場合に比べてコントラス良くカラー表示を行うことができ、また、隔壁Ｗ１から出射する光に起因して、表示される色が所望の色と異なるものとなってしまうことを抑制できる。
【０１１６】
図９（Ａ）の媒体ＭＤ５のように光反射膜３１と基板Ｓ１の間にさらに光吸収膜３３を形成してもよく、図９（Ｂ）の媒体ＭＤ６のように光反射膜３１に対応する基板Ｓ１の領域に光吸収膜３４を形成してもよい。
【０１１７】
光吸収膜３３、３４が形成されていないと、基板Ｓ１側から媒体ＭＤ５に入射する光の一部は、隔壁Ｗ１の頂面上の光反射膜３３により反射されてしまい、その反射光は表示画像のコントラストを低下させたり、表示色を所望の色と異なるものにしてしまう。光吸収膜３３又は３４を設ければ、このような反射を抑制でき、表示画像のコントラストをさらに向上させることができ、また表示色が所望の色と異なるものとなってしまうことをさらに抑制することができる。
【０１１８】
§１０．
上記述べた媒体ＭＤ１〜ＭＤ６はいずれも現像剤内包型のものであったが、カラーフィルタを用いて良好なカラー表示を行うなどのための上記述べた各種手法は、特に支障がない限り、ツイストボール型の媒体や電気泳動型の媒体等にも適用することができる。
【０１１９】
電気泳動型の画像表示媒体の一例の概略断面図を図１０に示す。図１０の媒体ＭＤ７は反射型の表示を行うものである。媒体ＭＤ７は、表示層ＤＬ１に代えて表示層ＤＬ３が基板間に配置されていることを除けば、図２の媒体ＭＤ１と実質的に同じものである。同じ機能の部品には同じ参照符号が付されている。
【０１２０】
表示層ＤＬ３は、絶縁性液体（分散媒）３８１と、この絶縁性液体３８１中に分散され、電気泳動能を有する複数の現像粒子３８２を含んでいる。現像粒子３８２は所定極性（本例では正極性）に帯電している。絶縁性液体３８１と現像粒子３８２は互いに色が異なっている。本例では絶縁性液体３８１は不透明な黒色であり、現像粒子３８２は不透明な白色である。なお、絶縁性液体（分散媒）を黒色、現像粒子を白色にすることに代えて、絶縁性液体を白色、現像粒子を黒色にしてもよい。
【０１２１】
媒体ＭＤ７においても、媒体ＭＤ１と同様に、表示層ＤＬ３は隔壁Ｗ１によって複数に仕切られており、基板間には複数のセルＣＬが形成されている。
【０１２２】
媒体ＭＤ７に画像形成するときにも、媒体ＭＤ１に画像形成するときと同様に、表示層ＤＬ３の各サブ画素に対応する領域にそのサブ画素の画像情報に応じた向きの電界を印加する。これにより、正帯電の現像粒子３８２は絶縁性液体３８１中を電気泳動して、印加される電界の向きに応じて現像粒子３８２は基板Ｓ１又はＳ２の方へ移動する。
【０１２３】
観察側の基板Ｓ１側に白色現像粒子３８２が集まったサブ画素ＰＸｒ、ＰＸｂ、ＰＸｇにおいては、それぞれ赤、緑及び青色成分表示が行われる。裏側の基板Ｓ２側に白色現像粒子３８２が集まったサブ画素ＰＸｒ、ＰＸｂ、ＰＸｇにおいては、いずれにおいても黒色成分表示が行われる。これらにより、表示層ＤＬ３の各サブ画素に対応する領域にそのサブ画素の画像情報に応じた向きの電界を印加することで、所望のカラー画像を媒体ＭＤ７に形成することができ、媒体ＭＤ７に所望のカラー画像を表示させることができる。
【０１２４】
この電気泳動型媒体ＭＤ７においても、隔壁Ｗ１の幅がカラーフィルタＣＦ１のフィルタ膜Ｆｒ、Ｆｇ及びＦｂよりも小さいので、カラー画像を表示するときに隔壁Ｗ１が目立たない。
【０１２５】
このような電気泳動型の媒体においても、図５の媒体ＭＤ２と同様に、カラーフィルタのフィルタ膜が隔壁と重ならないようにしてもよい。得られる効果も同様である。また、電気泳動型の媒体においても、図６の媒体ＭＤ３と同様に、観察側の基板自身をカラーフィルタとしてもよい。得られる効果も同様である。電気泳動型の媒体においても、入射光を反射するための現像粒子（例えば媒体ＭＤ７の白色現像粒子３８２）として、図７（Ａ）〜（Ｃ）のような光反射率の高い現像粒子を採用してもよい。得られる効果も同様である。
【０１２６】
電気泳動型の媒体ＭＤ７における不透明な黒色液体３８１及び不透明な白色現像粒子３８２に代えて、無色透明な絶縁性液体及び遮光性の黒色現像粒子を採用すれば、電気泳動型の媒体においても透過型の表示を行うことができる。
【０１２７】
§１１．
以上述べたように、媒体の表示層に電界を印加して媒体には画像が形成される。カラーフィルタを有する媒体に画像記録（画像形成）するときには、適正な（正しい）位置に画像記録を行わないと、換言すれば、各サブ画素の表示層にそのサブ画素の画像情報に応じた向きの電界を印加しないと、媒体に記録されたカラー画像（媒体により表示されるカラー画像）は所望のカラー画像と色合い等が全く異なるものとなってしまうことがある。
【０１２８】
例えば、図４のフィルタ膜Ｆｒ、Ｆｇ及びＦｂがストライプ配列されたカラーフィルタＣＦ１を有する媒体ＭＤ１において、画像記録位置がＸ方向（フィルタ膜が延びる方向に直交する方向）に一サブ画素分ずれ、表示層の各サブ画素に対応する領域に、そのサブ画素の隣のサブ画素の画像情報に応じた向きの電界が印加されると、表示される画像は所望のカラー画像と色合い等が異なるものとなってしまう。図４の媒体ＭＤ１に例えば赤色画像を記録しようとして、画像記録位置がＸ方向に一サブ画素分ずれると、表示される画像は青又は緑色画像となってしまう。
【０１２９】
そこで以下においては、媒体の表示層に電界を印加して、媒体に画像記録するための画像記録装置のいくつかの例と、その画像記録装置において位置ずれなく画像記録するための手法について述べる。なお、以下の説明においては、主として既述の図１の媒体ＭＤ１に画像記録する場合を説明するが、上記述べた他の媒体にも以下に述べる画像記録装置は画像記録することができる。
【０１３０】
§１２．
画像記録装置（画像形成装置）の一例の概略構成を示す斜視図、平面図及び断面図をそれぞれ図１１、図１２及び図１３に示す。図１１〜１３の画像記録装置ＡＰ１においては、媒体ＭＤ１を所定方向に所定速度Ｖで搬送しながら画像記録が行われる。媒体ＭＤ１は図示を省略したローラ対等によって搬送される。
【０１３１】
画像形成装置ＡＰ１は、媒体ＭＤ１の基板Ｓ１上（基板Ｓ１上のカラーフィルタＣＦ１上）に、記録しようとする画像に対応する静電潜像を形成し、その静電潜像を構成する電荷（静電潜像電荷）を利用して媒体表示層ＤＬ１に電界を印加し、画像記録を行う。なお、静電潜像は基板Ｓ２上に形成してもよい。
【０１３２】
画像形成装置ＡＰ１は媒体基板Ｓ１に臨ませる記録ヘッドＲＨ１を有しており、この記録ヘッドＲＨ１には放電により媒体基板上に静電潜像を形成するためのマルチスタイラスヘッド７１が搭載されている。なお、図１１においてはマルチスタイラスヘッド７１は図示が省略されている。
【０１３３】
マルチスタイラスヘッド７１は、媒体搬送方向に直交する方向（Ｙ方向）に並んだ複数のスタイラス電極７１ｅを有している。各スタイラス電極７１ｅに電圧を印加して、搬送される媒体ＭＤ１に向けて放電させることで、媒体基板Ｓ１上には静電潜像が形成される。
【０１３４】
各スタイラス電極７１ｅへの電圧印加制御は、画像記録制御部６により行われる。制御部６は、各スタイラス電極７１ｅにそれぞれ接続された電圧印加制御スイッチ６１ｓと、各スイッチ６１ｓの開閉制御を行うなどのための電圧印加制御部６２と、スイッチ６１ｓを介してスタイラス電極７１ｅに接続された電源６３を有している。
【０１３５】
電圧印加制御部６２は、記録しようとする画像の画像データに基づき各スイッチ６１ｓの開閉を行い、各スタイラス電極７１ｅからの放電を制御する。画像データは、図示を省略したコンピュータ、ワードプロセッサ、複写機の画像読み取り部等のホスト機器から制御部６に入力される。スタイラス電極７１ｅが臨むサブ画素の画像情報（画像データ）に応じて、スイッチ６１ｓは開閉される。スイッチ６１ｓを閉じてスタイラス電極７１ｅから放電させることで、媒体基板Ｓ１上には静電荷（本例では正極性電荷）が付与される。放電により付与される静電荷によって、基板Ｓ１上には記録しようとする画像に応じた静電潜像が形成される。
【０１３６】
基板Ｓ１上の静電潜像電荷と、基板Ｓ２に臨むバイアス電圧が印加されたバイアス電極５１により、表示層ＤＬ１の各サブ画素に対応する領域には電界が印加される。バイアス電極５１には、基板Ｓ１上の静電荷が付与された領域の電位と、静電荷が付与されなかった領域の電位の間の電圧がバイアス電圧として電源５２から印加される。これにより、静電荷が付与されたサブ画素に対応する表示層領域には基板Ｓ１からＳ２に向かう向きの電界が印加され、静電荷が付与されなかったサブ画素に対応する表示層領域には基板Ｓ２からＳ１に向かう向きの電界が印加される。印加される電界の向きに応じて既述のように表示層ＤＬ１中の現像粒子が移動し、媒体ＭＤ１には静電潜像に応じた所望のパターンの画像が形成される。
【０１３７】
記録ヘッドＲＨ１の媒体搬送方向の上流側にはマグネットローラ５３が配置されており、このマグネットローラ５３を回転駆動することで、表示層ＤＬ１への電界印加の前及び電界印加と同時に表示層ＤＬ１中の乾式現像剤には振動磁界が印加される。
【０１３８】
画像形成装置ＡＰ１は、画像記録位置を検出するなどのためのカラー光センサ８１を有している。なお、図１１においては光センサ８１は図示が省略されている。本例では、光センサ８１は記録ヘッドＲＨ１上に搭載されている。光センサ８１は、マルチスタイラスヘッド７１（スタイラス電極７１ｅ）よりも、距離Ｄ2 だけ媒体搬送方向の上流側に配置されている。
【０１３９】
カラー光センサ８１は、図１２に示すように、カラーフィルタＣＦ１の赤、緑及び青色フィルタ膜Ｆｒ、Ｆｇ、Ｆｂをそれぞれ検出するためのセンサ部８１ｒ、８１ｇ及び８１ｂを有している。
【０１４０】
赤色フィルタ膜Ｆｒを検出するためのセンサ部８１ｒは、本例では図１３に示すように、白色光を射出する発光素子８１１と、受光素子８１２と、赤色フィルタ８１３ｒを有している。センサ部８１ｒが赤色フィルタ膜Ｆｒに臨んでいるときの方が、緑色フィルタ膜Ｆｇ又は青色フィルタ膜Ｆｂに臨んでいるときよりも、発光素子８１１から射出され、フィルタ膜により反射され、赤色フィルタ８１３ｒを透過し、受光素子８１３に入射する光の光量が多くなる。これにより、センサ部８１ｒは、光センサ８１（センサ部８１ｒ）が赤色フィルタ膜Ｆｒに臨んでいるか否かを検出することができる。センサ部８１ｒの受光素子の検出情報（検出信号）は電圧印加制御部６２に入力される。制御部６２は、センサ部８１ｒが赤色フィルタ膜Ｆｒに臨んでいることを検出した数をカウントして、カラーフィルタＣＦ１中に複数ある赤色フィルタ膜Ｆｒのどのフィルタ膜Ｆｒに光センサ８１が臨んでいるのかを検出することができる。
【０１４１】
緑色フィルタ膜Ｆｇを検出するためのセンサ部８１ｇもセンサ部８１ｒと同様の構成であり、光センサ８１がカラーフィルタＣＦ１中のどの緑色フィルタ膜Ｆｇに臨んでいるのかを検出することができる。また、青色フィルタ膜Ｆｂを検出するためのセンサ部８１ｂもセンサ部８１ｒと同様の構成であり、光センサ８１がカラーフィルタＣＦ１中のどの青色フィルタ膜Ｆｂに臨んでいるのかを検出することができる。
【０１４２】
既述のように光センサ８１と画像記録（静電潜像記録）を行うマルチスタイラスヘッド７１とは距離Ｄ2 離れており、これらの位置関係は一定である。したがって、上記のようにして光センサ８１とカラーフィルタＣＦ１のフィルタ膜Ｆｒ、Ｆｇ及びＦｂの位置関係を検出することで、マルチスタイラスヘッド７１とフィルタ膜Ｆｒ、Ｆｇ及びＦｂの位置関係も検出することができる。制御部６２は、光センサ８１により検出されるフィルタ膜Ｆｒ、Ｆｇ及びＦｂの位置に基づき、マルチスタイラスヘッド７１による画像記録位置の制御を行う。さらに詳しく言うと、光センサ８１がフィルタ膜Ｆｒ、Ｆｇ及びＦｂを検出するタイミングに基づき、マルチスタイラスヘッド７１による画像記録タイミングの制御が制御部６２により次のように行われる。
【０１４３】
赤色フィルタ膜Ｆｒ上の各サブ画素には、その赤色フィルタ膜Ｆｒが光センサ８１により検出された時刻をＴ1 とすると、時刻［Ｔ1 ＋Ｄ2 ／Ｖ］〜時刻［Ｔ1 ＋（Ｄ1 ＋Ｄ2 ）／Ｖ］の間、つまり、マルチスタイラスヘッド７１がその赤色フィルタ膜Ｆｒに臨んでいる期間に、画像記録が行われる。なお、Ｄ1 はフィルタ膜Ｆｒ、Ｆｇ及びＦｂの幅であり、Ｖは媒体搬送速度である。
【０１４４】
緑色フィルタ膜Ｆｇ上の各サブ画素及び青色フィルタ膜Ｆｂ上の各サブ画素にも、同様のタイミングで画像記録が行われる。
【０１４５】
これらにより、赤、緑及び青色フィルタ膜Ｆｒ、Ｆｇ及びＦｂに重なるいずれのサブ画素にも、媒体搬送方向（フィルタ膜が延びる方向に直交する方向）において位置ずれなく、画像記録することができる。サブ画素に重なるフィルタ膜Ｆｒ、Ｆｇ及びＦｂの位置を検出して画像記録を行うので、それだけ精度よく画像記録位置の位置ずれを抑制できる。したがって、画像形成装置ＡＰ１によると、画像記録位置がずれることにより生じる不具合、つまり、記録された画像（表示される画像）が所望の画像の色あいと異なってしまうことを抑制でき、所望の色合いのカラー画像を形成することができる。
【０１４６】
なお、光センサ８１は上記述べた画像記録位置（画像記録タイミング）の検出だけでなく、媒体ＭＤ１の搬送向き、つまり、図１２に示すように赤色フィルタ膜Ｆｒを先頭に媒体が搬送されているか、或いは、図１２と１８０度反対の向きの青色フィルタ膜Ｆｂを先頭に媒体が搬送されているかも検出することができる。図１２に示す向きに媒体ＭＤ１が搬送されている場合には、光センサ８１により１番最初に赤色フィルタ膜Ｆｒが検出される。これに対して、図１２と１８０度反対の向きに媒体ＭＤ１が搬送されている場合には、１番最初に青色フィルタ膜Ｆｂが検出される。媒体の搬送向きに応じて、例えば媒体搬送方向における画像記録順序等を制御してもよい。媒体の搬送向きが所定の向き（例えば図１２に示す向き）と逆であるときには、その旨ユーザーに知らせて、ユーザーに媒体の向きを変えるように促してもよい。
【０１４７】
また、本例では、記録ヘッドＲＨ１等を定位置に配置し媒体ＭＤ１を搬送しながら画像記録を行うようにしたが、媒体ＭＤ１を定位置に配置して記録ヘッドＲＨ１等を移動させながら画像記録を行うようにしてもよい。
【０１４８】
§１３．
上記の例では、光センサ８１により赤、緑及び青色フィルタ膜Ｆｒ、Ｆｇ及びＦｂの位置を全て検出して画像記録位置（画像記録タイミング）を定めたが、これに代えて次のようにしてもよい。
【０１４９】
例えば、赤色フィルタ膜Ｆｒの位置だけ順次検出し、赤色フィルタ膜Ｆｒ上のサブ画素への画像記録は上記と同じように行う。緑色フィルタ膜Ｆｇ上のサブ画素には、その緑色フィルタ膜Ｆｇの一つ下流側の赤色フィルタ膜Ｆｒが検出された時刻をＴ1 とすると、時刻［Ｔ1 ＋（Ｄ1 ＋Ｄ2 ）／Ｖ］〜時刻［Ｔ1 ＋（２・Ｄ1 ＋Ｄ2 ）／Ｖ］の間、つまり、マルチスタイラスヘッド７１がその緑色フィルタ膜Ｆｇに臨んでいる期間に画像記録を行えばよい。同様に、青色フィルタ膜Ｆｂ上のサブ画素には、その青色フィルタ膜Ｆｂの一つ下流側の赤色フィルタ膜Ｆｒが検出された時刻をＴ1 とすると、時刻［Ｔ1 ＋（２・Ｄ1 ＋Ｄ2 ）／Ｖ］〜時刻［Ｔ1 ＋（３・Ｄ1 ＋Ｄ2 ）／Ｖ］の間、つまり、マルチスタイラスヘッド７１がその青色フィルタ膜Ｆｂに臨んでいる期間に画像記録を行えばよい。
【０１５０】
或いは、一番下流側の赤色フィルタ膜Ｆｒの位置だけを検出し、この赤色フィルタ膜Ｆｒと画像記録を行うべきサブ画素が重なるフィルタ膜との距離、媒体搬送速度及びフィルタ膜の幅に応じて、各フィルタ膜上のサブ画素への画像記録タイミングを定めてもよい。
【０１５１】
§１４．
画像記録装置の他の例の概略平面図を図１４に示す。図１４の画像形成装置ＡＰ２は、記録ヘッド上にカラー光センサが二つ搭載されていることを除けば、図１２の画像形成装置ＡＰ１と実質的に同じものである。図１２と図１４においては、同じ機能の部品には同じ参照符号が付してある。
【０１５２】
記録ヘッドＲＨ２に搭載された二つの光センサ８１Ａ及び８１Ｂは、いずれも前記光センサ８１と同じものである。これら光センサ８１Ａ及び８１Ｂは、スタイラス電極７１ｅが並ぶ方向と平行な方向（媒体搬送方向に直交する方向）に並べて配置されている。光センサ８１Ａと８１Ｂは距離Ｄ3 だけ離して配置されている。光センサ８１Ａ及び８１Ｂは、搬送される媒体ＭＤ１のカラーフィルタＣＦ１の両端部にそれぞれ臨む。なお、本例では光センサ８１Ａ及び８１Ｂのいずれも記録ヘッドＲＨ２上に搭載されているが、記録ヘッドＲＨ２（マルチスタイラスヘッド７１）と一定の位置関係に配置されるのであれば、これら光センサは必ずしも記録ヘッドＲＨ２上に搭載する必要はない。
【０１５３】
光センサ８１Ａ及び８１Ｂによって、媒体ＭＤ１が斜めに搬送されているか否かを検出することができる。図１４に示すように媒体ＭＤ１が斜めに搬送されているときには、光センサ８１Ａが赤色フィルタ膜Ｆｒを検出するタイミングと、光センサ８１Ｂが同じ赤色フィルタ膜Ｆｒを検出するタイミングとが、斜行角度θに応じてずれる。これにより、媒体ＭＤ１が斜行していることを検出することができる。斜行角度θは、θ＝ｔａｎ-1（Ｖ・Δｔ／Ｄ3 ）である。なお、Ｖは媒体搬送速度、Δｔは光センサ８１Ａと８１Ｂのフィルタ膜Ｆｒの検出タイミングの時間差である。
【０１５４】
媒体の斜行が検出されたときには、マルチスタイラスヘッド７１の各スタイラス電極７１ｅにより画像記録するタイミングを斜行角度θに応じて補正することで、媒体が斜行していても位置ずれなく画像記録を行うことができる。なお、斜行角度θが大きい場合には画像記録を行わず、その旨ユーザに知らせて媒体の角度を修正するように促してもよい。
【０１５５】
§１５．
画像記録装置のさらに他の例の概略平面図を図１５に示す。図１５の画像形成装置ＡＰ３は、記録ヘッドＲＨ１に代えて記録ヘッドＲＨ３を採用したことを除けば、図１２の画像形成装置ＡＰ１と実質的に同じものである。同じ機能の部品には同じ参照符号が付してある。
【０１５６】
記録ヘッドＲＨ３には、媒体搬送方向に平行に並んだ複数（本例では六つ）のスタイラス電極７２ｅを有するマルチスタイラスヘッド７２が搭載されている。
【０１５７】
記録ヘッドＲＨ３を主走査方向に移動させながら、マルチスタイラスヘッド７２により６サブ画素ライン分の画像記録が行われる。これら６サブ画素ライン分の画像記録が行われた後、媒体ＭＤ１を副走査方向に６サブ画素ライン分に相当する距離だけ副走査方向に送るとともに、記録ヘッドＲＨ３を主走査方向の元の記録開始位置に戻し、次の６サブ画素ライン分の画像記録が行われる。以降は同様にして全てのサブ画素に対して画像記録が行われる。
【０１５８】
記録ヘッドＲＨ３には、マルチスタイラスヘッド７２の主走査方向において下流側に光センサ８１Ｃが搭載されているとともに、マルチスタイラスヘッド７２の副走査方向における上流側に光センサ８１Ｄが搭載されている。これら光センサ８１Ｃ及び８１Ｄは、前記光センサ８１と同じものである。光センサ８１Ｃ及び８１Ｄは、いずれもマルチスタイラスヘッド７２と所定の位置関係にある。
【０１５９】
光センサ８１Ｄにより検出されるカラーフィルタＣＦ１のフィルタ膜Ｆｒ、Ｆｇ及びＦｂの位置情報に基づき、副走査方向におけるマルチスタイラスヘッド７２とフィルタ膜の位置決めがなされる。これにより、副走査方向（カラーフィルタＣＦ１のフィルタ膜Ｆｒ、Ｆｇ及びＦｂが延びる方向と直交する方向）における記録位置の位置ずれを抑制することができる。
【０１６０】
また、光センサ８１Ｃにより、記録ヘッドＲＨ３を主走査方向に移動させながら画像記録を行うときの、主走査方向における画像記録開始位置及び画像記終了位置が検出される。これにより、主走査方向における記録位置の位置ずれを抑制することができる。
【０１６１】
§１６．
以上述べた例ではカラーフィルタのフィルタ膜Ｆｒ、Ｆｇ及び（又は）Ｆｂの位置を直接検出して画像記録位置（画像記録タイミング）を定めたが、フィルタ膜と所定の位置関係にある媒体部材を検出してフィルタ膜の位置を間接的に検出してもよい。
【０１６２】
例えば、図５の媒体ＭＤ２においては隔壁Ｗ１と、カラーフィルタＣＦ２のフィルタ膜Ｆｒ、Ｆｇ及びＦｂの位置関係が一定であるので、隔壁Ｗ１の位置を検出することで、フィルタ膜の位置を間接的に検出することができる。なお、媒体ＭＤ２においては、図１６に示すように、各隔壁Ｗ１は、この隔壁Ｗ１に隣合う赤色フィルタ膜と距離Ｄ0 だけ離れている。本例では距離Ｄ0 ＝０である。
【０１６３】
図１６の画像記録装置ＡＰ４においては媒体ＭＤ２の隔壁Ｗ１の位置を検出して、画像記録位置の位置合わせを行いながら画像記録が行われる。画像記録装置ＡＰ４は、光センサ８１に代えて光センサ８２が採用されていることを除けば、図１３の画像記録装置ＡＰ１と実質的に同じものである。図１３と図１６においては、同じ機能の部品には同じ参照符号が付してある。画像記録装置ＡＰ４においても、媒体ＭＤ２を所定方向に所定速度Ｖで搬送しながら、画像記録は行われる。マルチスタイラスヘッド７１が搭載された記録ヘッドＲＨ４、光センサ８２等は定位置に配置されている。
【０１６４】
光センサ８２は、基板Ｓ２に臨ませる発光素子８２１と、基板Ｓ１に臨ませる受光素子８２２を有している。図１６に示すように光センサ８２が隔壁Ｗ１に臨んでいるときには、発光素子８２１から射出された光は、透明基板Ｓ２、透明隔壁Ｗ１及び透明基板Ｓ１を透過して、受光素子８２２に入射する。これに対して、光センサ８２がセルＣＬに対応する領域に臨んでいるときには、セルＣＬ内の不透明な現像粒子Ｐｗ及びＰｋに遮られて、発光素子８２１から射出された光は受光素子８２２に到達しない。これらにより、光センサ８２によって隔壁Ｗ１の位置を検出することができる。
【０１６５】
光センサ８２により隔壁Ｗ１の上流端が検出される時刻をＴ2 とすると、カラーフィルタＣＦ２の各フィルタ膜上のサブ画素には次のタイミングでマルチスタイラスヘッド７１によって画像記録がなされる。
【０１６６】
赤色フィルタ膜Ｆｒ上の各サブ画素には、時刻［Ｔ2 ＋（Ｄ2 ＋Ｄ0 ）／Ｖ］〜時刻［Ｔ2 ＋（Ｄ1 ＋Ｄ2 ＋Ｄ0 ）／Ｖ］の間、つまり、マルチスタイラスヘッド７１がその赤色フィルタ膜Ｆｒに臨んでいる期間に画像記録は行われる。なお、Ｄ1 はフィルタ膜Ｆｒ、Ｆｇ及びＦｂの幅、Ｄ2 は光センサ８２とマルチスタイラスヘッドの間の距離である。
【０１６７】
緑色フィルタ膜Ｆｇ上の各サブ画素には、時刻［Ｔ2 ＋（Ｄ1 ＋Ｄ2 ＋Ｄ0 ）／Ｖ］〜時刻［Ｔ2 ＋（２・Ｄ1 ＋Ｄ2 ＋Ｄ0 ）／Ｖ］の間、つまり、マルチスタイラスヘッド７１がその緑色フィルタ膜Ｆｇに臨んでいる期間に画像記録は行われる。
【０１６８】
青色フィルタ膜Ｆｂ上の各サブ画素には、時刻［Ｔ2 ＋（２・Ｄ1 ＋Ｄ2 ＋Ｄ0 ）／Ｖ］〜時刻［Ｔ1 ＋（３・Ｄ1 ＋Ｄ2 ＋Ｄ0 ）／Ｖ］の間、つまり、マル１スタイラスヘッド７１がその青色フィルタ膜Ｆｂに臨んでいる期間に画像記録は行われる。
【０１６９】
このように隔壁Ｗ１の位置に基づき画像記録位置（画像記録タイミング）を定めても、適正な位置に画像記録を行い、所望の色あいのカラー画像を記録することができる。
【０１７０】
§１７．
画像表示媒体及び画像記録装置のさらに他の例の概略断面図を図１７（Ａ）及び（Ｂ）に示す。
【０１７１】
図１７の媒体ＭＤ８は、基板Ｓ１上にフロート電極Ｅｆが形成されていることを除けば、図２の媒体ＭＤ１と実質的に同じものである。同じ機能の部品には同じ参照符号が付されている。フロート電極Ｅｆは、フィルタ膜Ｆｒと距離Ｄ4 離して形成されている。
【０１７２】
図１７の画像形成装置ＡＰ５は、光センサ８１に代えて静電容量検出部８３が採用されていることを除けば、図１２の画像形成装置ＡＰ１と実質的に同じものである。同じ機能の部品には同じ参照符号が付してある。静電容量検出部８３は、基板Ｓ１に臨ませる位置合わせ電極８３１と、基板Ｓ２に臨ませる対向電極８３２を有している。これら電極８３１と８３２には、電流計８３３を介して直流電源８３４が接続されている。
【０１７３】
図１７（Ｂ）に示すように位置合わせ電極８３１が媒体基板上のフロート電極Ｅｆに接触しているときの電極８３１と８３２の間の静電容量（電極間の媒体の見かけ上の静電容量）ＣB と、図１７（Ａ）に示すように位置合わせ電極８３１がフロート電極Ｅｆに接触していないときの電極８３１と８３２の間の静電容量ＣA は異なり、これらの静電容量比ＣA ／ＣB ＝Ｄ5 ／Ｄ6 となる。なお、Ｄ5 は位置合わせ電極８３１の幅であり、Ｄ6 はフロート電極Ｅｆの幅である。
【０１７４】
静電容量ＣA とＣB の違いにより、位置合わせ電極８３１がフロート電極Ｅｆに接触していない状態から接触する状態となったとき、或いは、位置合わせ電極８３１がフロート電極Ｅｆに接触している状態から接触しない状態となったときには、電極８３１に流れ込む電荷量が変化する。したがって、電流計８３３が検出する電流値に基づき、フロート電極Ｅｆの上流端及び下流端の位置を検出することができる。
【０１７５】
画像形成装置ＡＰ５においては、画像記録装置ＡＰ４において隔壁Ｗ１の位置に基づき画像記録位置（画像記録タイミング）を定めるときと同様に、フロート電極Ｅｆの上流端の位置（フロート電極の上流端が検出された時刻）、フロート電極Ｅｆの上流端とフィルタ膜Ｆｒの下流端の距離Ｄ4 、フィルタ膜の幅Ｄ1 、位置合わせ電極８３１とマルチスタイラスヘッドの距離Ｄ2 及び媒体搬送速度Ｖに基づき、適正な画像記録位置（画像記録タイミング）を検出することができる。
【０１７６】
媒体ＭＤ８のフロート電極Ｅｆの位置は、上記検出部８３に代えて図２４（Ａ）及び（Ｂ）に示す検出部８４によっても検出することができる。
【０１７７】
検出部８４は二つの電極８４１、８４２を有しており、これら電極８４１、８４２はフロート電極Ｅｆの幅に応じて所定距離だけ媒体の搬送方向に離して配置されている。さらに詳しく言うと、電極８４１と８４２が図２４（Ａ）に示すように同時にフロート電極Ｅｆに接触できるように、これら電極は所定距離だけ離れている。
【０１７８】
図２４（Ａ）に示すように電極８４１と８４２が同時にフロート電極Ｅｆに接触しているときと、図２４（Ｂ）に示すように電極８４１と８４２のうちの少なくとも一方がフロート電極Ｅｆに接触していないときでは、これら電極８４１と８４２の間の導通状態が異なる。したがって、電極８４１と８４２の間の導通の有無を検出することで、フロート電極Ｅｆの位置を検出することができる。電極８４１と８４２の間の導通の有無は、例えばこれら電極に直列に直流電源８４３と抵抗８４４を接続して、この回路を流れる電流の有無によって検出することができる。
【０１７９】
検出部８４を採用する画像記録装置ＡＰ５′においても、上記と同様に電極８４２とマルチスタイラスヘッド７１との距離Ｄ2 等に基づき、適正な画像記録位置（画像記録タイミング）を検出することができる。
【０１８０】
§１８．
画像表示媒体及び画像記録装置のさらに他の例の概略構成を示す斜視図及び断面図をそれぞれ図１８及び図１９に示す。
【０１８１】
図１８及び図１９の媒体ＭＤ９は、基板Ｓ１に溝９１が形成されていることを除けば、図２の媒体ＭＤ１と実質的に同じものである。同じ機能の部品には同じ参照符号が付してある。基板Ｓ１には、二つの溝９１が形成されている。いずれの溝９１も、カラーフィルタＣＦ１のフィルタ膜Ｆｒ、Ｆｇ及びＦｂと同じ方向に延びている。溝９１とフィルタ膜Ｆｒ、Ｆｇ及びＦｂは所定の位置関係にある。いずれの溝９１も断面半円形である。
【０１８２】
図１８及び図１９の画像記録装置ＡＰ６は、記録ヘッドＲＨ６が凸部９２を有していることを除けば、実質的に図１２の画像形成装置ＡＰ１と同じものである。記録ヘッドＲＨ６には、装置ＡＰ１の記録ヘッドＲＨ１と同様に、マルチスタイラスヘッド７１と光センサ８１が搭載されている。なお、図１８においては理解容易のために記録ヘッドＲＨ６は一点鎖線で示してあり、マルチスタイラスヘッド及び光センサ８１は図示が省略されている。
【０１８３】
記録ヘッドＲＨ６に設けられた凸部９２は、断面が半円形状であり、媒体の溝９１に嵌合（係合）可能である。記録ヘッドＲＨ６には、媒体の各溝９１に対してそれぞれ二つの凸部９２が設けられている。同じ溝９１に対して設けられた二つの凸部９２は、媒体の搬送方向と平行な方向に並んでいる。
【０１８４】
画像記録装置ＡＰ６においては、媒体ＭＤ９の溝９１に記録ヘッドＲＨ６の凸部９２を嵌合させることで、媒体のカラーフィルタＣＦ１の各フィルタ膜Ｆｒ、Ｆｇ及びＦｂと、記録ヘッドＲＨ６に搭載された各スタイラス電極７１ｅとの位置合わせを行うことができる。フィルタ膜に対して所定の位置関係にある溝９１と、スタイラス電極７１ｅに対して所定の位置関係にある凸部９２を嵌合させることで、各フィルタ膜Ｆｒ、Ｆｇ及びＦｂと各スタイラス電極７１ｅが適正な位置関係に位置決めされる。
【０１８５】
画像記録を行うときには、媒体ＭＤ９の溝９１が記録ヘッドＲＨ６の凸部９２により案内されつつ、媒体ＭＤ９は搬送される。これにより、各フィルタ膜Ｆｒ、Ｆｇ及びＦｂと各スタイラス電極７１ｅの位置関係を適正の位置関係に保ったまま、各スタイラス電極７１ｅにより画像記録を行うことができる。これらにより、画像記録装置ＡＰ６は、フィルタ膜の延びる方向に直交する方向における位置ずれを防止して、画像記録を行うことができ、所望の色状態のカラー画像を媒体ＭＤ９に記録することができる。光センサ８１は媒体搬送方向における画像記録開始位置及び終了位置の検出に用いられる。
【０１８６】
なお、媒体に設ける溝の断面形状は半円形に代えて、三角形、四角形等にしてもよい。記録ヘッドには媒体の溝の断面形状に応じた形状の凸部を設ければよい。また、媒体に溝を設けるとともに、記録ヘッドにその溝に係合可能な凸部を設けることに代えて、媒体に凸部を設け、記録ヘッドにその凸部に係合可能な溝を設けてもよい。
【０１８７】
§１９．
以上説明した画像記録装置においては、スタイラス電極からの放電により画像記録を行ったが、画像記録の手法はこれに限定されるものではなく、既に知られている各種手法を採用することができる。
【０１８８】
画像表示媒体及び画像記録装置のさらに他の例の概略断面図を図２０に示す。図２０の媒体ＭＤ１０は、各サブ画素に対応させてカラーフィルタＣＦ１上にフロート電極Ｅｆが形成されていることを除けば、図２の媒体ＭＤ１と実質的に同じものである。同じ機能の部品には同じ参照符号を付してある。フロート電極Ｅｆは透明であり、本例ではＩＴＯからなる。
【０１８９】
図２０の画像記録装置ＡＰ７は、スタイラス電極７１ｅの代わりに記録電極７３ｅが採用されていることを除けば、実質的に図１２の画像記録装置ＡＰ１と同じものである。同じ機能の部品には同じ参照符号を付してある。記録ヘッドＲＨ７には、媒体の搬送方向に直交する方向に並んだ複数の記録電極７３ｅが搭載されている。
【０１９０】
画像記録装置ＡＰ７においては、記録電極７３ｅからフロート電極Ｅｆに電荷注入することで、媒体ＭＤ１０上には静電潜像が形成される。この静電潜像電荷を利用して、画像形成装置ＡＰ１と同様に、表示層の各サブ画素に対応する領域にはそのサブ画素の画像情報に応じた向きの電界が印加され、画像が記録される。光センサ８１により検出されるフィルタ膜Ｆｒ、Ｆｇ及びＦｂの位置に基づき、記録電極７３ｅによるフロート電極Ｅｆへの電荷注入位置（電荷注入タイミング）が制御され、位置ずれなく画像記録することができる。
【０１９１】
§２０．
画像記録装置のさらに他の例の概略構成図を図２１に示す。図２１の画像形成装置ＡＰ８においては、ドラム状の感光体４１を含む記録ヘッドＲＨ８により画像記録がなされる。
【０１９２】
感光体４１の周囲には、帯電装置４２、レーザー露光装置４３、マグネットローラ４４、バイアス電圧印加装置４５及びイレース装置４６が配置されている。
【０１９３】
画像形成装置ＡＰ８においては、所定速度Ｖで、所定経路を通して搬送される媒体ＭＤ１に次のように画像形成がなされる。まず、帯電装置４２により、図中反時計回りに回転駆動される感光体４１の表面を一様に帯電する。感光体４１は、媒体搬送速度と同じ周速Ｖにて回転駆動される。本例では、表面電位Ｖｏが約−８００Ｖとなるように感光体４１は帯電させる。
【０１９４】
次いで、レーザー露光装置４３によって、帯電した感光体表面を記録しようとする画像に応じて露光する。光があたった感光体表面領域の電位は減衰する。本例では、感光体表面の減衰後の電位Ｖｉは約−５０Ｖ程度となる。これにより、感光体４１上に記録しようとする画像に応じた静電潜像が形成される。
【０１９５】
媒体ＭＤ１は、静電潜像を保持する感光体４１とマグネットローラ４４との間、さらには感光体４１とバイアス電圧印加装置４５のバイアスローラ４５１との間を通して搬送される。マグネットローラ４４の回転により、ローラ４４に臨む媒体ＭＤ１の乾式現像剤には振動磁界が印加される。この振動磁界により乾式現像剤は攪拌されるとともに、振動する。
【０１９６】
バイアス電圧印加装置４５のバイアスローラ４５１には、電源４５２からバイアス電圧（本例では−４００Ｖ）が印加される。これにより、電位がＶｏ（本例では約−８００Ｖ）の感光体表面領域に臨む媒体の表示層領域には、基板Ｓ２からＳ１の方へ向かう向きの電界が印加される。また、電位がＶｉ（本例では約−５０Ｖ）の感光体表面領域に臨む媒体の表示層領域には、基板Ｓ１からＳ２の方へ向かう向きの電界が印加される。これらより、媒体には所望のパターンの画像が記録される。この後、次の画像記録に備えて、イレース装置４６からの光照射により感光体表面は除電される。
【０１９７】
画像記録装置ＡＰ８には、カラーフィルタＣＦ１のフィルタ膜の位置を検出するためのカラー光センサ８１が設けられている。光センサ８１は、感光体４１にバイアスローラ４５１が臨む画像記録領域の上流側に配置されている。光センサ８１が検出するフィルタ膜の位置に基づき、画像記録位置の制御が次のように行われる。
【０１９８】
光センサ８１から画像記録領域までの媒体搬送距離をＤ7 とすると、光センサ８１が赤色フィルタ膜Ｆｒを検出した時刻から、時間Ｄ7 ／Ｖ後にその赤色フィルタ膜Ｆｒ上のサブ画素は画像記録領域に到達する。なお、Ｖは媒体搬送速度である。
【０１９９】
一方、露光装置４３により感光体表面に静電潜像が形成される静電潜像形成領域から画像記録領域までの感光体表面移動距離をＤ8 とすると、静電潜像が形成された時刻から、時間Ｄ8 ／Ｖ後にその静電潜像は画像記録領域に到達する。なお、既述のように感光体の周速（表面移動速度）は媒体搬送速度と同じ速度Ｖである。
【０２００】
したがって、Ｄ7 ＞Ｄ8 である場合には、光センサ８１によりフィルタ膜が検出された時刻から、時間（Ｄ7 −Ｄ8 ）／Ｖ後に、そのフィルタ膜に重なるサブ画素の静電潜像の形成を開始すれば、位置ずれなく媒体ＭＤ１に画像記録することができる。
【０２０１】
或いは、Ｄ7 ＝Ｄ8 である場合には、フィルタ膜が光センサ８１により検出されたのと同時に、そのフィルタ膜上のサブ画素に対応する静電潜像を形成することで、位置ずれなく画像記録することができる。
【０２０２】
或いは、Ｄ7 ＜Ｄ8 である場合には、例えば、光センサ８１が最も下流側に位置するフィルタ膜Ｆｒを検出したときに一旦媒体の搬送を停止し、そのフィルタ膜Ｆｒに重なるサブ画素の静電潜像の形成を開始してから、時間（Ｄ8 −Ｄ7 ）／Ｖ後に、媒体の搬送を再開することで、位置ずれなく媒体に画像記録することができる。
【０２０３】
§２１．
画像表示媒体及び画像記録装置のさらに他の例の概略構成を示す斜視図及び断面図を図２２及び図２３に示す。
【０２０４】
図２２及び図２３の媒体ＭＤ１１は、基板Ｓ２に凹部９８が設けられていることを除けば、実質的に図２の媒体ＭＤ１と同じものである。同じ機能の部品には同じ参照符号が付してある。基板Ｓ２には断面半円形の凹部９８が二つ設けられている。これら凹部９８は、基板Ｓ１上のカラーフィルタＣＦ１に重ならない位置に設けられている。凹部９８とカラーフィルタＣＦ１のフィルタ膜Ｆｒ、Ｆｇ及びＦｂは所定の位置関係にある。
【０２０５】
図２２及び図２３の画像記録装置ＡＰ９は基板９３と基板９５を有している。一方の基板９３には、各サブ画素に対応するサブ画素電極９４が形成されている。基板９３には、さらに、媒体ＭＤ１１の凹部９８に対応する形状の凸部９７が二つ形成されている。これら凸部９７は、各サブ画素電極９４と所定の位置関係にある。もう一方の基板９５には、画像記録するときに全てのサブ画素電極９４に臨ませる共通電極９６が形成されている。
【０２０６】
画像記録を行うときには、図２３に示すように、基板９３と９４の間に媒体ＭＤ１１を挟み込む。このとき、媒体ＭＤ１１の凹部９８と基板９３の凸部９７を嵌合させて、基板９３に対して媒体ＭＤ１１を位置決めする。媒体カラーフィルタＣＦ１の各フィルタ膜Ｆｒ、Ｆｇ及びＦｂと所定の位置関係にある凹部９８と、サブ画素電極９４と所定の位置関係にある凸部９７とを嵌合させることで、各フィルタ膜Ｆｒ、Ｆｇ、Ｆｂと各サブ画素電極９４を適正な位置関係に位置決めすることができる。さらに言うと、各フィルタ膜Ｆｒ、Ｆｇ及びＦｂに重なる各サブ画素に、それぞれ各サブ画素電極９４を臨ませることができる。
【０２０７】
各サブ画素電極９４と共通電極９６の間に電圧を印加することで、媒体表示層ＤＬ１には電界が印加され、画像が記録される。各サブ画素電極９４には、そのサブ画素電極が臨むサブ画素の画像情報に応じた電圧が印加される。各サブ画素電極９４が各フィルタ膜に重なるサブ画素に位置ずれなく臨んでいるので、位置ずれなく画像記録することができる。これにより、所望の色あいのカラー画像を形成することができる。
【０２０８】
なお、基板９３と基板９５はヒンジ等により開閉可能に接続してもよい。また、媒体に凹部、基板に凸部を設けることに代えて、媒体に凸部、基板に凹部を設けてもよい。
【０２０９】
【発明の効果】
【０２１１】
以上説明したように本発明によると、カラー表示が可能な画像表示媒体に位置ずれなく画像記録して、該媒体に所望の色状態のカラー画像を表示させることができる画像記録装置を提供することができる。
【図面の簡単な説明】
【図１】現像剤内包型の画像表示媒体の一例の概略平面図である。
【図２】図１の画像表示媒体の概略断面図である。
【図３】図１の画像表示媒体の表示層に電界を印加して、画像記録している様子を示す図である。
【図４】図１の画像表示媒体に画像記録するときの画素及びサブ画素を示す図である。
【図５】現像剤内包型の画像表示媒体の他の例の概略断面図である。
【図６】現像剤内包型の画像表示媒体のさらに他の例の概略断面図である。
【図７】図７（Ａ）〜（Ｃ）はいずれも現像粒子の他の例の概略断面図である。
【図８】現像剤内包型の画像表示媒体のさらに他の例の概略断面図である。
【図９】図９（Ａ）及び（Ｂ）はいずれも現像剤内包型の画像表示媒体のさらに他の例の概略断面図である。
【図１０】電気泳動型の画像表示媒体の一例の概略断面図である。
【図１１】本発明に係る画像記録装置の一例の概略構成を示す斜視図である。
【図１２】図１１の画像記録装置の概略構成を示す平面図である。
【図１３】図１１の画像記録装置の概略構成を示す断面図である。
【図１４】本発明に係る画像記録装置の他の例の概略平面図である。
【図１５】本発明に係る画像記録装置のさらに他の例の概略平面図である。
【図１６】本発明に係る画像記録装置のさらに他の例の概略断面図である。
【図１７】図１７（Ａ）及び（Ｂ）は本発明に係る画像記録装置のさらに他の例の概略断面図である。
【図１８】本発明に係る画像表示媒体及び画像記録装置のさらに他の例を示す概略斜視図である。
【図１９】図１８の画像表示媒体及び画像記録装置の概略断面図である。
【図２０】本発明に係る画像表示媒体及び画像記録装置のさらに他の例を示す概略断面図である。
【図２１】本発明に係る画像記録装置のさらに他の例を示す概略断面図である。
【図２２】本発明に係る画像表示媒体及び画像記録装置のさらに他の例を示す概略斜視図である。
【図２３】図２２の画像表示媒体及び画像記録装置の概略断面図である。
【図２４】図２４（Ａ）及び（Ｂ）は、本発明に係る画像記録装置のさらに他の例の概略断面図である。
【符号の説明】
ＭＤ１〜ＭＤ１１  画像表示媒体
Ｓ１  観察側に配置される基板
Ｓ２  観察側と反対側に配置される基板
ＣＦ１、ＣＦ２  カラーフィルタ
Ｆｒ、Ｆｇ、Ｆｂ  フィルタ膜
Ｗ１  隔壁
ＣＬ  セル
ＤＬ１、ＤＬ２、ＤＬ３  表示層
ＤＶ１、ＤＶ２  乾式現像剤
Ｐｗ、Ｐｋ、Ｐｗ１、Ｐｗ２、Ｐｗ３  現像粒子
ＰＴ  透明現像粒子
ＰＳ  遮光性現像粒子
３１  光反射膜
３２  バックライト装置
３３、３４  光吸収膜
３８１  絶縁性液体（分散媒）
３８２  現像粒子
Ｅｆ  フロート電極
ＰＸ  画素
ＰＸｒ、ＰＸｇ、ＰＸｂ  サブ画素
ＡＰ１〜ＡＰ９  画像記録装置
４１  感光体
４２  帯電装置
４３  露光装置
４４  マグネットローラ
４５  バイアス電圧印加装置
４５１  バイアスローラ
４５２  バイアス電源
４６  イレース装置
５１  バイアス電極
５２  電源
５３  マグネットローラ
ＲＨ１〜ＲＨ８  記録ヘッド
７１、７２  マルチスタイラスヘッド
７１ｅ、７２ｅ  スタイラス電極
７３ｅ  記録電極
８１、８１Ａ、８１Ｂ、８１Ｃ、８１Ｄ  カラー光センサ
８１ｒ、８１ｇ、８１ｂ  センサ部
８１１  発光素子
８１２  受光素子
８１３ｒ  赤色フィルタ
８２  光センサ
８２１  発光素子
８２２  受光素子
８３  静電容量検出部
８３１  位置合わせ電極
８３２  対向電極
８３３  電流計
８３４  直流電源
９１  溝
９２  凸部
９３、９５  基板
９４  サブ画素電極
９６  共通電極
９７  凸部
９８  凹部
【図１】
0004168649.tif 000002
【図２】
0004168649.tif 000003
【図３】
0004168649.tif 000004
【図４】
0004168649.tif 000005
【図５】
0004168649.tif 000006
【図６】
0004168649.tif 000007
【図７】
0004168649.tif 000008
【図８】
0004168649.tif 000009
【図９】
0004168649.tif 000010
【図１０】
0004168649.tif 000011
【図１１】
0004168649.tif 000012
【図１２】
0004168649.tif 000013
【図１３】
0004168649.tif 000014
【図１４】
0004168649.tif 000015
【図１５】
0004168649.tif 000016
【図１６】
0004168649.tif 000017
【図１７】
0004168649.tif 000018
【図１８】
0004168649.tif 000019
【図１９】
0004168649.tif 000020
【図２０】
0004168649.tif 000021
【図２１】
0004168649.tif 000022
【図２２】
0004168649.tif 000023
【図２３】
0004168649.tif 000024
【図２４】
0004168649.tif 000025